(57)【要約】薬剤を供給する薬剤ディスペンサであって、本体と、本体内にはまる形状を有し、本体に対して移動することができるホルダと、薬剤担体を含み、ホルダによって受け入れることができるカセットとを備え、ホルダを本体に対して移動させると、カセットが第１の位置と第２の位置との間で移動し、したがって、カセットが第２の位置にあるときにカセットをホルダから可逆的に取り外すことができる薬剤ディスペンサが提供される。
2004512147.tif 000002
【特許請求の範囲】
【請求項１】
薬剤を供給する薬剤ディスペンサであって、
本体と、
前記本体内にはまる形状を有し、本体に対して移動することができるホルダと、
薬剤担体を含み、前記ホルダによって受け入れることができるカセットとを備え、
ホルダを本体に対して移動させると、カセットが第１の位置と第２の位置との間で移動し、それにより、カセットが第２の位置にあるときにカセットをホルダから可逆的に取り外すことができる薬剤ディスペンサ。
【請求項２】
第１の位置は供給位置を含む、請求項１記載の薬剤ディスペンサ。
【請求項３】
第２の位置は非供給位置を含む、請求項２に記載の薬剤ディスペンサ。
【請求項４】
ホルダおよび本体は、ホルダを本体に取り付ける取付け手段を含む、請求項１から３のいずれか一項に記載の薬剤ディスペンサ。
【請求項５】
前記取付け手段はピンとホールのシステムを備える、請求項４に記載の薬剤ディスペンサ。
【請求項６】
ホルダは本体に対してピボット運動可能である、請求項１から５のいずれか一項に記載の薬剤ディスペンサ。
【請求項７】
ホルダは本体に対して回動可能である、請求項１から５のいずれか一項に記載の薬剤ディスペンサ。
【請求項８】
ホルダは本体に対して摺動可能である、請求項１から５のいずれか一項に記載の薬剤ディスペンサ。
【請求項９】
ホルダは、本体に対するホルダの移動を制限する停止装置を備える、請求項１から８のいずれか一項に記載の薬剤ディスペンサ。
【請求項１０】
供給位置および非供給位置にそれぞれ対応する２つの別個の停止位置が画定される、請求項９に記載の薬剤ディスペンサ。
【請求項１１】
ホルダは、カセットを内部に保持するリテーナも備える、請求項１から１０のいずれか一項に記載の薬剤ディスペンサ。
【請求項１２】
リテーナは捕捉装置を備える、請求項１１に記載の薬剤ディスペンサ。
【請求項１３】
ホルダは、カセットのホルダへの挿入を案内するガイドを含む、請求項１から１２のいずれか一項に記載の薬剤ディスペンサ。
【請求項１４】
カセットは供給吐出口も備える、請求項１から１３のいずれか一項に記載の薬剤ディスペンサ。
【請求項１５】
供給吐出口は引込み可能である、請求項１４に記載の薬剤ディスペンサ。
【請求項１６】
カセットは、ホルダに不適切に挿入されるのを防止する形状を有する、請求項１から１５のいずれか一項に記載の薬剤ディスペンサ。
【請求項１７】
薬剤担体は、カプセル、錠剤担体、水容器、エアロゾル容器、および乾燥粉末容器から成る群から選択される形態である、請求項１から１６のいずれか一項に記載の薬剤ディスペンサ。
【請求項１８】
薬剤担体は、乾燥粉末を貯留できる容器を備える、請求項１７記載の薬剤ディスペンサ。
【請求項１９】
薬剤担体は、細長い担体を備える、請求項１７記載の薬剤ディスペンサ。
【請求項２０】
薬剤担体は、長さ方向に沿って間隔を置いて配置された複数の凹部を有するベース・シートと、各々が薬剤を含む複数のブリスタを形成するように該ベース・シートに重ね合わせられて剥離可能に密封されたふたシートと、で形成された細長いストリップを備える、請求項１９記載の薬剤ディスペンサ。
【請求項２１】
カセットは、内部で薬剤担体に作用する内部機構も備える、請求項１から２０のいずれか一項に記載の薬剤ディスペンサ。
【請求項２２】
内部機構は、薬剤担体を割り出す割出し装置を備える、請求項２１記載の薬剤ディスペンサ。
【請求項２３】
内部機構は、薬剤担体を移動させる移動装置を備える、請求項２１記載の薬剤ディスペンサ。
【請求項２４】
内部機構は、薬剤担体を取り出す取出し手段を備える、請求項２３記載の薬剤ディスペンサ。
【請求項２５】
本体またはホルダは、カセットの内部機構の少なくとも一部を駆動する駆動機構も備える、請求項２１から２４のいずれか一項に記載の薬剤ディスペンサ。
【請求項２６】
駆動機構は手動駆動機構である、請求項２５記載の薬剤ディスペンサ。
【請求項２７】
駆動機構は動力付き駆動機構である、請求項２５記載の薬剤ディスペンサ。
【請求項２８】
前記内部機構は、
ａ）複数の個々の薬剤容器を有するカセットの薬剤担体を受け入れる開ステーションと、
ｂ）前記開ステーションによる受け入れのために薬剤担体の個々の薬剤容器を割り出す割出し装置と、
ｃ）前記割り出された個々の薬剤容器を開くオープナと、
ｄ）前記開かれた容器と連通するように配置された供給吐出口とを備える、請求項２１から２７のいずれか一項に記載の薬剤ディスペンサ。
【請求項２９】
薬剤担体は、ベース・シートと、ベース・シート内のポケットを露出させるように剥離できるふたシートとを備える剥離可能なブリスタ・ストリップを備え、オープナは、前記ベース・シートおよび前記ふたシートに係合してベース・シートとふたシートを剥離する剥離手段を備える、請求項２８記載の薬剤ディスペンサ。
【請求項３０】
前記剥離手段は、ベース・シートからふたシートを引き剥がすふた駆動手段を含む、請求項２９に記載の薬剤ディスペンサ。
【請求項３１】
割出し装置は、凹部を有する回転可能な割出し車を備え、該割出し車が薬剤担体に係合することにより、前記凹部の１つまたは複数がそれぞれ、個々の薬剤容器を受け入れる、請求項２８から３０のいずれか一項に記載の薬剤ディスペンサ。
【請求項３２】
割出し装置は割出しラチェットを備え、該ラチェットは、ラチェットが前記薬剤担体上のポケットに係合して薬剤担体のさらなる剥離を防止するロック位置と、前記薬剤担体を自由に移動させることができる解放位置との間を移動できる、請求項２８から３１のいずれか一項に記載の薬剤ディスペンサ。
【請求項３３】
薬剤ディスペンサを作動させると、オープナのふた駆動手段が作動し、割出しラチェットが前記薬剤担体から解放され、薬剤担体を剥離することができる、請求項３２に記載の薬剤ディスペンサ。
【請求項３４】
前記ふた駆動手段は、ふたシートが巻き付けられる車を備える、請求項３０から３３のいずれか一項に記載の薬剤ディスペンサ。
【請求項３５】
前記車は、各々が車から半径に対して斜めに延びる、複数の弾性可とう性のアームを備える、請求項３４記載の薬剤ディスペンサ。
【請求項３６】
前記ふた駆動手段はマングルを備える、請求項３０から３３のいずれか一項に記載の薬剤ディスペンサ。
【請求項３７】
前記ふた駆動手段はローラを備える、請求項３０から３３のいずれか一項に記載の薬剤ディスペンサ。
【請求項３８】
ふた駆動手段は、ふたシートが巻き付けられるふたスプールを備える、請求項３０から３３のいずれか一項に記載の薬剤ディスペンサ。
【請求項３９】
カセットは、薬剤を装填されたときに薬剤担体を保持する第１のチャンバと、薬剤が薬剤担体から解放された後で薬剤担体を受け入れる第２のチャンバとを備える、請求項１から３８のいずれか一項に記載の薬剤ディスペンサ。
【請求項４０】
前記第１のチャンバと前記第２のチャンバは壁によって分離される、請求項３９に記載の薬剤ディスペンサ。
【請求項４１】
前記壁は、第１および第２のチャンバのそれぞれの大きさを調整するように移動させることができる、請求項４０に記載の薬剤ディスペンサ。
【請求項４２】
割出し装置の作動回数を数える作動カウンタを備える、請求項１から４１のいずれか一項に記載の薬剤ディスペンサ。
【請求項４３】
カセットからの投与回数を数える投与カウンタも備える、請求項１から４２のいずれか一項に記載の薬剤ディスペンサ。
【請求項４４】
電子データ管理システムも備える、請求項１から４３のいずれか一項に記載の薬剤ディスペンサ。
【請求項４５】
薬剤ディスペンサ本体に付随して、データを送受信する第１のトランシーバを備えると共に、薬剤担体に付随して、データを送受信する第２のトランシーバも備え、第１のトランシーバから第２のトランシーバへ双方向にデータを転送することができる、請求項４４記載の薬剤ディスペンサ。
【請求項４６】
本体の少なくとも一部は、ユーザが容易に把持できる形状を有する、請求項１から４５のいずれか一項に記載の薬剤ディスペンサ。
【請求項４７】
ホルダは親指または指グリップを含む、請求項１から４６のいずれか一項に記載の薬剤ディスペンサ。
【請求項４８】
ディスペンサの操作を片手で行うことができる、請求項１から４７のいずれかに記載の薬剤ディスペンサ。
【請求項４９】
前記薬剤担体は薬剤を保持する、請求項１から４８のいずれか一項に記載の薬剤ディスペンサ。
【請求項５０】
薬剤は、アルブテロール、サルメテロール、プロピオン酸フルチカソン、およびジプロピオン酸ベクロメタソン、ならびにそれらの塩または溶媒和物およびそれらの任意の組合せから成る群から選択される、請求項４９に記載の薬剤ディスペンサ。
【請求項５１】
薬剤は、キシナホ酸サルメテロールおよびプロピオン酸フルチカソンを含む、請求項５０に記載の薬剤ディスペンサ。
【請求項５２】
薬剤は賦形剤も含む、請求項４９から５１のいずれか一項に記載の薬剤ディスペンサ。
【請求項５３】
前記賦形剤は糖である、請求項５２記載の薬剤ディスペンサ。
【請求項５４】
薬剤を供給するための、請求項４９から５３のいずれか一項に記載の薬剤ディスペンサの使用。
【請求項５５】
部品キット形態の薬剤ディスペンサであって、
（ａ）本体と、前記本体内にはまる形状を有し前記本体に対して移動することができるホルダと、カセットを受け入れる、前記ホルダ内の受入れステーションと、
（ｂ）薬剤担体を含むカセットとを備え、
カセットは、受入れステーションによって受け入れることができ、ホルダを本体に対して移動させると、カセットが第１の位置と第２の位置との間で移動させられ、それにより、カセットが第２の位置にあるときにカセットを受入れステーションから可逆的に取り外すことができる部品キット。
【請求項５６】
カセットは、前記薬剤担体に作用する内部機構を含む、請求項５５に記載の部品キット。
【請求項５７】
内部機構は、薬剤担体を割り出す割出し装置を備える、請求項５６に記載の部品キット。
【請求項５８】
内部機構は、薬剤担体を移動させる移動装置を備える、請求項５６に記載の部品キット。
【請求項５９】
内部機構は、薬剤担体を取り出す取出し手段を備える、請求項５６に記載の部品キット。
【請求項６０】
本体またはホルダは、カセットの内部機構の少なくとも一部を駆動する駆動機構も備える、請求項５６から５９のいずれか一項に記載の部品キット。
【請求項６１】
駆動機構は手動駆動機構である、請求項６１に記載の部品キット。
【請求項６２】
駆動機構は動力付き駆動機構である、請求項６１に記載の部品キット。
【発明の詳細な説明】
【０００１】
（技術分野）
本発明は、薬剤を供給する薬剤ディスペンサに関する。本発明は特に、薬剤を供給する際に使用される吸入装置に関する。
【０００２】
（背景技術）
薬剤を投与する際、たとえば、気管支拡張治療の際に吸入装置を使用することが公知である。このような装置は一般に、内部に薬剤担体が位置する本体またはハウジングを備えている。既知の吸入装置には、いくつかの別個の用量の粉薬を含むブリスタ・ストリップが薬剤担体である装置が含まれる。このような装置は、通常、貫通手段またはベース・シートからふたシートを剥離する手段を備える、これらの用量を取り出す機構を通常含んでいる。
【０００３】
本発明の目的は、薬剤担体を含む交換カセットを挿入することによって補充可能な薬剤ディスペンサ（たとえば、吸入装置）を提供することである。カセットは、薬剤担体が空になったときに交換することができる。したがって、このディスペンサは、ディスペンサの大部分を保持することができ、使い捨てではないので「環境に優しい」。このディスペンサでは、完全に使い捨てのディスペンサでは費用有効にならないことがある電子機器のような追加の機構を、ディスペンサの保持される部分に備えることもできる。
【０００４】
本発明の他の目的は、カセットを容易に取り外し、新しい交換カセットを容易に挿入できるようにすることである。薬剤ディスペンサの操作が簡単であり、複雑ではなく、特に、ディスペンサを使用できるように準備する際に伴う別個のステップの数を最小限に抑えることも望ましい。例外的な環境で、カセットをスタンドアロン薬剤供給システムとして独立に使用できることがさらに望ましい。これは、ディスペンサが、操作の単純さおよび使いやすさが最も重要である緊急事態または救命状況（たとえば、喘息発作）で薬剤の供給に使用できるように構成される場合に特に適切である。
【０００５】
使用しないときには、衛生上の観点から、供給部分（たとえば、おそらくマウスピースの形態の吐出口）がある種の保護カバーを備えることが望ましい。カバーは望ましくは、供給部分上にほこりが蓄積するのを防止すると共に、供給部分を通じてディスペンサの本体にほこりが進入し、次いで場合によっては患者に進入するのを防止するように働く。カバーが不適切に配置されるかまたは紛失する可能性を最小限に抑えるために、カバーを何らかの方法でディスペンサに取り付けることも望ましい。したがって、本発明の他の目的は、ディスペンサが保存されるときにディスプレイの本体が供給部分用のカバーとして働くことと、患者による使用時に供給部分を露出させることができるようにカセットを本体に対して移動可能にすることである。
【０００６】
本発明の他の目的は、多数の別個の用量の薬剤と共に使用するのに適しているが、患者が使用するうえで受け入れられる大きさを有する薬剤ディスペンサを提供することである。
【０００７】
（発明の開示）
本発明の一態様によれば、本体と、本体内にはまる形状を有し、本体に対して移動することができるホルダと、薬剤担体を含み、ホルダによって受け入れることのできるカセットとを備え、ホルダを本体に対して移動させると、カセットが第１の位置と第２の位置との間で移動し、それにより、カセットが第２の位置にあるときにカセットをホルダから可逆的に取り外すことができる、薬剤を供給する薬剤ディスペンサが提供される。
【０００８】
好ましくは、第１の位置は供給位置を含む。好ましくは、第２の位置は非供給位置を含む。したがって、カセットは、非供給位置にあるときにのみホルダから取り外すことができる。
【０００９】
好適には、カセットは、薬剤担体を完全に密閉し、その保護シェルとして働く。
【００１０】
カセットは、たとえば、ほぼ平坦な円板形を含む任意の適切な形態を有してよい。ホルダおよび本体も任意の適切な形態を有してよい。カセットが頂部荷重、底部荷重、または側部荷重として受け入れられる実施態様が考えられる。
【００１１】
好適には、ホルダおよび本体は、ホルダを本体に取り付ける取付け手段を含む。一態様では、取付け手段は、スナップばめ機構を備える。好適には、スナップばめ機構はピンとホールのシステムを備える。
【００１２】
一態様では、ホルダは本体に対してピボット運動可能である。他の態様では、ホルダは本体に対して回動可能である。他の態様では、ホルダは本体に対して摺動可能である。
【００１３】
好適には、ホルダは、本体に対するホルダの移動を制限する１つまたは複数の停止装置を備える。一態様では、供給位置および非供給位置にそれぞれ対応する２つの別個の停止位置が画定される。
【００１４】
ホルダが本体に対して回動可能である場合、１つまたは複数の停止装置は好適には、本体に対するホルダの移動を約１８０°以下の回転経路に制限する。好ましい一態様では、供給位置と非供給位置は、約１８０°の回転角度だけ離され、対応する停止位置が形成される。
【００１５】
好適には、１つまたは複数の停止装置は、本体が移動するときに、本体の縁部に、定められた点で当接する。ホルダは好適には、これらの点で停止位置にクリック係合するように構成される。ある態様において、停止装置は、供給位置では、一本体縁部に当接またはクリック係合し、非供給位置では、他の本体縁部に当接またはクリック係合する。
【００１６】
ホルダが本体に対して回動可能である場合、１つまたは複数の停止装置は好適には、本体に対するホルダの移動を約１８０°以下の回転経路に制限する。
【００１７】
好適には、ホルダは、カセットを内部に保持するリテーナも備える。一態様では、リテーナは捕捉装置を備える。捕捉装置はたとえば、穴にはまるスプラング・ピン、または押されると変形しカセットを取り外せるようにする一体的な捕捉装置を備えてよい。好ましくは、リテーナは子供が使用できないようになっている。子供が使用できないようにするには、ユーザがカセットを取り外す場合に一度に２つの動作を実行させるシステムを設ける。リテーナの他の特徴には、耐衝撃性、捕捉装置をロックする能力、カセットを一方向にしか挿入できるようにする方向決め機能が含まれる。リテーナは、製造および組立てが容易で頑丈であるべきであり、最小限の数の構成要素で構成すべきであり、カセットが挿入される空間への侵入が最小限であるべきである。
【００１８】
好適には、ホルダは、カセットのホルダへの挿入を案内するガイドを含む。好ましくは、ガイドはガイド・レールを備える。あるいは、ガイドは、ホルダとカセットとの間に「ロック・アンド・キー」関係を定める溝、くぼみ、あるいは他の形状細部または表面細部を備える。カラー溝、矢印、および他の任意の表面マーキングを使用してもよい。
【００１９】
好適には、カセットは薬剤担体を割り出す割出し装置（たとえば、割出しレバー）も備える。一態様では、割出しレバーは、カセットの本体の外側に位置する指タブを有する。割出しレバーの残りの部分はカセット内に配置される。割出しレバーは、その尾部に歯を有し、かつ／またはその中央部に沿って歯を有してよい。好適には、割出しレバーは、カセットがホルダに挿入されないときでも操作可能である（たとえば、緊急使用時）。
【００２０】
好適には、カセットは供給吐出口も備える。供給吐出口は、簡単なオリフィスから成型された通路（たとえば、コーンまたはチューブ）、マウスピースまたはノズルまでの範囲の任意の適切な形態を有してよい。供給吐出口がカセット自体の一部として存在すると、カセットがそのホルダ／本体から分離されているときでも、カセットを緊急時に有効な吸入器として使用できるという点で有用である。
【００２１】
ある態様では、供給吐出口は伸長可能である。一態様では、供給吐出口は、カセットおよびホルダが非供給位置から供給位置へ移動するときに伸長する。
【００２２】
あるいは、供給吐出口は引込み可能である（たとえば、カセットから可逆的に引込み可能である）。一態様では、供給吐出口は、カセットおよびホルダが非供給位置から供給位置へ移動するときに引っ込む。
【００２３】
一態様では、供給吐出口は伸縮可能である。他の態様では、供給吐出口は固定される。
【００２４】
薬剤ディスペンサは、薬剤を鼻腔から吸入できるように構成することもでき、したがって、供給吐出口は、マウスピースの代わりとしてノズルを組み込んでよい（「ノーズ・ピース」）。
【００２５】
好適には、本体は、カセットが非供給位置にあるときに供給出口および割出し装置を覆う。これによって別個のカバーが不要になり、保存時にマウスピースにほこりおよび汚染物質が進入するのが防止される。
【００２６】
好適には、カセットは、ホルダに不適切に挿入されるのを防止する形状を有する。一態様では、カセットは、ホルダにはまる隆起部を備える。隆起部は、カセットの、マウスピースおよび割出しレバーの反対側の端部に位置しており、ホルダにはまらないほど幅が大きいため、カセットがホルダに不適切に挿入されるのを防止する。隆起部は、ホルダの切欠部にはまるような形状を有する。
【００２７】
好ましくは、隆起部は、把持部を形成するように隆起した部分を含む。
【００２８】
薬剤担体は、乾燥粉末、顆粒、エアロゾル混濁液、水溶液を含む溶液、カプセル、噴霧、小丸薬、および錠剤担体形態を含む様々な形態の薬剤を保持する任意の適切な形状または形態を有してよい。
【００２９】
ある態様では、薬剤担体はそれぞれ、カプセル、錠剤担体、水容器、エアロゾル容器、および乾燥粉末容器を備える。
【００３０】
一態様では、薬剤担体は、乾燥粉末を貯留する容器を備える。この態様では、カセットには、ある用量の薬剤を計量する測定器も必要である。一態様では、用量測定器は計量凹部を形成し、計量凹部は、カセットが非供給位置にあるときに、薬剤容器と連通して、計量された体積の粉末を受け取り、かつ計量凹部は、供給位置において、供給吐出口と連通して、計量された体積の粉末が供給吐出口に送られるようにする。
【００３１】
他の態様では、薬剤担体は、ある態様では事前に薬剤を装填することのできる細長い（直線的に細長いかまたは斜めに細長い）担体を備える。細長い担体は、様々な形態をとることができるが、好ましくはテープ、ウェブ、ベルト、ストリップ、またはコードである。粉末状の薬剤は、静電引力、ファンデルワールス力、物理的引力、機械的結合、印刷、たとえば用量の担体へのインクジェット印刷、ウェッジングによって担体上に保持することができ、担体を巻き付けるときなどは同じ担体のカバー層または上層によって担体上に保持することができる。担体の１つまたは複数の表面および任意に担体の内部を、粉末の粒子を保持するのを助けるように構成することができる。
【００３２】
一態様では、薬剤担体は、好適には細長い形態のブリスタ・パックを備える。好ましくは、薬剤担体はブリスタ・ストリップを備える。好ましくは、ブリスタ・ストリップは、長さ方向に沿って間隔を置いて配置された複数の凹部を有するベース・シートと、各々が粉末形態の吸入可能な薬剤を有する複数のブリスタを形成するように該ベース・シートに重ね合わせられて剥離可能に密封されたふたシートとで形成された細長いストリップを備える。あるいは、ブリスタは、錠剤または水溶液または混濁液を含んでよい。
【００３３】
好適には、凹部はカプセル状である。一態様では、凹部は、カセットの歯車機構または駆動機構によって受け取られるような形状を有する。したがって、凹部は、歯車の歯の形状またはベルト駆動歯の形状を有してよい。任意に、ふたシートは、ふたシートがふた駆動手段を通過するときにつぶれるようにストリップに沿って間隔を置いて配置された穿孔をその幅方向に含んでよい。ふたシートおよび／またはベース・シートは任意に、スプロケットにはまるように一方または両方の縁部に形成された開口または穴を含んでもよい。
【００３４】
好適には、カセットは、内部で薬剤担体に作用する内部機構も備える。一態様では、内部機構は薬剤担体を割り出す割出し装置を備える。他の態様では、内部機構は薬剤担体を移動させる移動装置を備える。他の態様では、内部機構は、薬剤担体（したがって、薬剤担体に付随する薬剤または薬剤担体に内蔵された薬剤）を取り出す取出し手段を備える。
【００３５】
好適には、カセットの内部機構は、外側に位置する（たとえば、本体またはホルダに位置する）駆動機構によって駆動されるようにこの駆動機構に係合する手段を備える。
【００３６】
好適には、本体またはホルダは、カセットの内部機構の少なくとも一部を駆動する駆動機構も備える。駆動機構は、一態様では、（たとえば、指または親指の移動によって作動させることのできる）手動駆動機構である。他の態様では、駆動機構は、以下に説明する、本体またはホルダに位置する動力付き（たとえば、モータ）駆動機構であってよい。
【００３７】
一態様では、カセットは、薬剤担体を取り出すために内部機構と協働する（たとえば、外側に突き出る）割出しレバーを備え、本体およびホルダの構成要素の機械的または電子的な破壊が起こった場合、あるいはカセットを一時的ではあるが有効なディスペンサとして緊急使用する場合に、必要に応じて本体またはホルダなしで使用することができる。
【００３８】
好ましくは、内部機構は、
ａ）複数の個々の薬剤容器を有するカセットの薬剤担体を受け入れる開ステーションと、
ｂ）開ステーションによる受け入れのために薬剤担体の個々の薬剤容器を割り出す割出し装置と、
ｃ）割り出された個々の薬剤容器を開くオープナと、
ｄ）開かれた容器と連通するように配置された供給吐出口とを備える。
【００３９】
好適には、薬剤担体は、剥離動作によって取出し可能なブリスタ・ストリップを備える。剥離可能なブリスタ・ストリップは、ベース・シートと、ベース・シート内のポケットを露出させるように剥離できるふたシートとを備える。
【００４０】
好適には、オープナは、開ステーションに受け入れられた剥離可能なブリスタ・ストリップのベース・シートおよびふたシートに係合してベース・シートとふたシートを剥離するように位置させられた剥離手段を備える。一態様では、剥離手段は、開ステーションに受け入れられた容器のふたシートとベース・シートを引き剥がすふた駆動手段を含む。
【００４１】
吸入装置態様では、供給吐出口は、ユーザが開かれた容器内の薬剤を取り出すために吸入を行うことのできるマウスピースの形態である。
【００４２】
好適には、割出し装置は、凹部を有する回転可能な割出し車を備え、各凹部が薬剤ディスペンサと共に使用される際に、割出し車が薬剤担体に係合することにより薬剤担体のベース・シートのそれぞれのポケットを受け入れる。
【００４３】
好適には、回転可能な割出し車は、そのベースに位置し各凹部間に間隔を置いて配置された一連のくぼみも備える。
【００４４】
好適には、割出し装置は、レバーの移動を割出し車に結合する連動継手も備える。連動継手は、割出し車を所定の位置に可逆的にロックする。好ましくは、連動継手は、爪先部および踵部を有する脚部と、尾部とを備える。好ましくは、連動継手はピボット運動によって、その脚部においてカセットに取り付けることができる。好ましくは、爪先部は、回転可能な割出し車上の１つのくぼみにはまる。好ましくは、踵部は、患者によって作動させられた後、レバーを所定の位置にロックするようにレバー上の歯にはまることができる。好ましくは、連動継手は、ばね力によって１つのくぼみ内の踵部の位置の方へ付勢される。
【００４５】
あるいは、割出し装置は歯車およびスプロケットを備え、割出し車上の歯が、ブリスタ・ストリップの一方または両方の縁部上に形成された開口または穴にはまる。したがって、この機構は、カメラ内を前進させられる写真フィルムの機構に類似している。
【００４６】
あるいは、割出し装置は、割出しレバーの尾部に位置する複数の凹部を備える。これらの凹部は、ブリスタ・ストリップ内のポケットに係合するような形状および大きさを有する。患者がレバーを移動させることによって、ストリップは１ポケット分割り出される。次いで、レバーをその休止位置に戻すと、ストリップが外れ、ストリップの、１つ先のポケットに再係合する。この割出し装置は、必要なのが割出しレバーだけであり、追加の構成要素が必要とされないという利点を有する。
【００４７】
一態様では、割出し装置は割出しラチェットを備え、該ラチェットは、ラチェットが薬剤担体上のポケットに係合して薬剤担体のさらなる剥離を防止するロック位置と、薬剤担体を自由に移動させることができる解放位置との間を移動でき、薬剤ディスペンサを作動させると、オープナのふた駆動手段が作動し、割出しラチェットが薬剤担体から解放され、薬剤担体を剥離することができる。この態様では、駆動手段は内部取出し機構を通じて薬剤担体を引き込む。割出し装置は、必要な用量の薬剤が供給された後で薬剤担体を安定させ薬剤担体のさらなる移動を妨げる。
【００４８】
好適には、割出しラチェットはディスペンサ上にピボット運動可能に取り付けられる。
【００４９】
好適には、薬剤ディスペンサは、ディスペンサを作動させる割出しレバーをさらに備える。通常、割出しレバーは、割出しラチェットをロック位置と解放位置との間を移動させるカム手段を備え、したがって、レバーを停止位置から作動させると、薬剤担体が解放され、剥離できるようになる。通常、割出しレバーは、ふた駆動手段に係合するレバー・ラチェットを備える。
【００５０】
好適には、ふた駆動手段は、一方の回転が他方の回転と相関付けされるように相互接続された割出し歯車と駆動歯車を備える。
【００５１】
あるいは、割出し装置は、ストリップがモータによって駆動される電子駆動システムを備える。電子駆動システムは、ストリップを固定する機械的クランプを備える。
【００５２】
好適には、ふた駆動手段は、ふたシートが巻き付けられる車を備える。
【００５３】
通常、ふたシート車は、ディスペンサを使用するたびにふたシートがふたシート車に巻き付けられるために直径が大きくなる有効巻付け面を有する。
【００５４】
ディスペンサは、毎回同じ用量が供給され、すなわち、ディスペンサが作動させられるたびに１つの薬剤ポケットのみが開かれるように、割出しレバー、したがってふた駆動手段の移動範囲を制限し、剥離手段によって剥離される薬剤担体の長さを調節するレバー停止手段をさらに備えてよい。したがって、薬剤担体は、毎回同じ量だけ割り出され、常に均等な一定の用量が供給される。
【００５５】
ディスペンサは、開ステーションとふたシート車との間に位置させられ、開ステーションとふたシート車との間のふたシートの長さを短くしてディスペンサの使用時のふた駆動手段の有効巻付け面の直径の増大を補償する補償手段をさらに備えてよい。
【００５６】
通常、補償手段は可とう性の部材の形態をとる。可とう性の部材は、周りをふたシートが送られる可とう性の細長いアームの形態をとってよい。アームは、ふたシートの張力が強くなるにつれて内側にたわむことができ、したがって、開ステーションとふた駆動手段との間のふたシートの長さを短くすることができる。
【００５７】
好適には、補償手段は、開ステーションとふた駆動手段との間のふたシートにおいて張力が強くなるにつれて長さが短くなるばねの形態をとることができる。通常、周りをふたシートが送られるばねの一方の端部に、ピストン・ヘッドが取り付けられる。ばねの他方の端部は固定することができる。ふたシートの張力が強くなるにつれて、ピストンは下方の、ばねの上まで駆動される。
【００５８】
好適には、補償手段は、ばねを備えるテンショナの形態をとる。
【００５９】
好適には、可とう性の部材は、ふたシートから張力を除去したときに、可とう性の部材がその休止位置に戻るように弾性である。したがって、使用済みの担体が取り外された後、内部機構に新しい薬剤担体を再装填することができる。
【００６０】
あるいは、またはさらに、ディスペンサは、ディスペンサの使用時にふた駆動手段の有効巻付け面の直径の増大に対する調節を行うクラッチ手段を備えてよい。一態様では、クラッチ手段は、割出し手段およびふた駆動手段と連通し、かつクラッチ手段は、複数の歯車噛合い位置を形成する歯車面と、複数の歯車噛合い位置と噛み合う複数の歯車とを備え、複数の歯車歯は、常に単一の歯車歯が単一の歯車噛合い位置に噛み合うように配置される。
【００６１】
使用時に、クラッチ手段が、ふた駆動手段の有効巻付け面の直径の増大を補償する働きをすることが理解されよう。クラッチ手段は、ふたシートの張力が、ふたシートとベース・シートを剥離するのに必要な力よりも大きいときに滑りを可能にする。
【００６２】
クラッチ手段が全体的に、歯車噛合い位置の数よりも多いいくつかの個々の歯車位置を事実上形成することが理解されよう。したがって、これは、形成される個々の歯車位置の有効数が、１つの歯車によって形成される歯車噛合い位置の数以下である、噛合い歯車を備える従来のすべりクラッチ構成よりも有利である。本明細書のクラッチ手段は通常、より小さな歯車面を使用できるので、従来のすべりクラッチ構成よりも小形である。
【００６３】
好ましい態様では、歯車面および複数の歯車歯は、形成される個々の歯車位置の数が、歯車噛合い位置の数に歯車歯の数を掛けた値に等しくなるように配置される。一例では、歯車面が６０個の噛合い位置を形成し、６つの歯車歯がある場合、最大で３６０個の個々の歯車位置を形成することができる（たとえば、回転歯車システム上で１°の回転）。
【００６４】
好適には、歯車面は２０個から１００個、好ましくは４０個から８０個の歯車噛合い位置を形成する。好適には、歯車歯の数は２個から２０個、好ましくは３個から１０個である。
【００６５】
一態様では、歯車噛合い位置は等間隔に配置され（たとえば、噛合い位置間の距離が等しい）、歯車歯は互いに対してずらされる（たとえば、歯車歯間の距離が等しくない）。このようなオフセット構成によって、形成できる有効な個々の歯車位置の数は最大になる。この態様の例は、バーニヤばね構成である。
【００６６】
他の態様では、歯車噛合い位置はやはり等間隔に配置され（たとえば、噛合い位置間の距離が等しい）、歯車歯は歯車歯を複数のオフセット（たとえば、歯車歯間の距離が等しくない）位置に揺動させることのできる揺動要素上に配置される。このような揺動オフセット構成は、形成できる有効な個々の歯車位置の数を最大にする。この態様の一例は、本明細書で説明する揺動車構成である。
【００６７】
ある態様では、クラッチ手段は、ふた駆動手段または割出し手段と非一体的であるが、別個の相互接続構成要素を形成する。
【００６８】
好適には、歯車面は歯車を備える。本明細書では、歯車の語は、たとえば車、スピンドル、スプールを包含する。
【００６９】
好適には、歯車歯はラチェット形態（すなわち、一方向の運動のみを可能にする）で構成することができる。
【００７０】
好適には、歯車面および歯車歯は付勢（たとえば、ばね）構成である。
【００７１】
一態様では、ふた駆動手段は、ふたシートが巻き付けられる車を備える。好適には、車は、ふたシートの張力が強くなるにつれて直径が小さくなる巻付け面を有する。好適には、この車は、各々が車から半径に対して斜めに延びる、複数の弾性可とう性のアームを備える。ふたシートの先端は、最初ふたシートを車に固定しておくために一方の弾性可とう性のアームに掛けられる。
【００７２】
他の態様では、ふた駆動手段はマングルを備える。ふたシートは、マングルとして働く２つの回転車を通過し、車と接触する点で把持される。ふたシートの使用済み部分は、マングルを通過した後チャンバに回収される。
【００７３】
他の態様では、ふた駆動手段はローラを備える。好適には、ローラは、重合ゴムで構成され、案内壁の隣に位置させられる。好適には、ローラは平滑な表面を有する。あるいは、ローラはローレット面を有する。ローラは、ふたシートがベース・シートから分離される点からローラと案内壁との間の空間を通過する際にふたシートを把持し、次いで、ふたシートの使用済み部分はチャンバに回収される。ローラは、ローラ車とふたシートとの接触度が高くなり、したがって、ふたシートがローラによって圧搾され、ローラ車の約３分の１にわたって掛けられるという点で、上述のマングルに勝る利点を有する。これによって、マングルよりも高いレベルの把持・引張り力が得られる。ローラを回転させるのに必要な力は、装置の使用時全体にわたって一定であり、ふたシートのどの程度がベース・シートから剥離されるかに応じて変わることはない。このことは、車を回転させるのに必要な力が、ふたシートが車の周りに巻き付けられることのために変動する上述の車と対称的である。ふたシートがローラの周りに巻き付けられることはない。ローラは、装置を使用する前にふたシートをローラに掛ける必要も、ふたシートをローラに固定する必要もなく、したがって、装置の組立てが簡略化され、コストが安くなるという利点も有する。
【００７４】
他の態様では、ふた駆動手段はふたスプールを備える。ふたスプールは、ふたシートがベース・シートから分離されたときにふたシートを巻き付けることができる中央の上向きの円筒状突起を有する歯付き車を備える。ふたスプールは、そのベースの周りに、レバー上の歯にはまる歯を有する。したがって、ふたスプールは、割出しレバーが移動することによって駆動され、ふたシートは、ベース・シートから引き離されてふたスプールに巻き付けられ、それによって、回転可能な割出し車はベース・ストリップを一用量分回転させて割り出す。上述の連動継手は、次のベース凹部にはまるまで回転可能な割出し継手のベースに沿って移動する。連動継手をこの凹部に位置させると、ふたスプールの移動が、ベース・シート上の２つのポケット間の距離に制限され、したがって、ふたスプールの直径が大きくなるにつれてふたスプールの周りに巻き付けられるふたシートの量が増えるのが防止される。
【００７５】
他の態様では、ふた駆動手段はスパイク付き車を備える。スパイク付き車が回転するにつれて、ふたシートはスパイク付き車を越えさせられ、スパイクがふたシートの一部を穿孔してふたシート上の把持を向上させる。次いで、ふたシートはスパイク付き車を出てチャンバに入り、回収される。
【００７６】
他の態様では、ふた駆動手段は、クランプ・システムを備える。クランプ・システムは、一方の端部でピボット運動することができ、他方の端部でふたシートを把持する、少なくとも１つの傾斜ばねを備える。クランプ・システムは、ふたシートが引っ張られる方向に移動させられ、ふたシートを把持して引っ張り、したがって、ふたシートをベース・シートから剥離する。次いで、クランプ・システムはその休止位置へ戻る。この結果、ばねがふたシートをピボット運動させて固定し、したがって、ふたシートがベース・シートからさらに剥離されるのが防止される。
【００７７】
好適には、ふた駆動手段は、電子駆動システムによって操作することができる。電子駆動システムは、機械的駆動システムと共に使用することもできる。
【００７８】
好適には、電子駆動システムは、本体またはホルダ部に配置され、カセットは、最小限の数の構成（すなわち、内部機構）部品を備える。ある実施態様では、電子駆動システムを含む本体／ホルダは、ユーザによって保持されるように構成され、カセットは、使用後に破棄される補充／再装填構成要素として販売される。電子駆動システムを本体／ホルダに配置することによって、破棄される電子構成要素の量は最小限に抑えられる。
【００７９】
電子駆動システムは通常、モータ、好ましくは電動モータを備える。モータは線形駆動を行うことも回転駆動を行うこともできるが、一般に回転モータが最も適切である。モータはたとえば、ＤＣ電気モータ、圧電（ＰＺ）モータ、超音波モータ、ソレノイド・モータ、線形モータを備えてよい。好ましくは、電子駆動システムはＤＣモータ、ＰＺモータ、超音波モータを備える。
【００８０】
超音波モータは、重量、大きさ、雑音、コスト、および発生トルクの点で従来のモータに勝る利点をもたらすので、このモータを使用するのが特に好ましい。超音波モータは、従来技術で公知であり、市販されている（たとえば、ＢＭＳＴＵ Ｔｅｃｈｎｏｌｏｇｉｃａｌ Ｃｏｒｐｏｒａｔｉｏｎ Ｃｅｎｔｒｅ Ｌｔｄ、モスクワ、ロシア；シンセイ株式会社、東京、日本）。
【００８１】
超音波モータは、コイルも磁石も使用しないが、結合された回転子を駆動する圧電セラミック固定子を備える。固定子は超音波振動を発生させ、それによって回転子が回転する。通常のＤＣモータは、高速で低トルクであり、トルクを高めるために減速歯車が必要になることを特徴とするが、超音波モータは低速および高トルクを実現し、したがって、減速歯車を不要にする。さらに、これらのモータは軽量で小形であり、コイルおよび磁石を有さず、使用される超音波周波数が人間の耳には聞こえないため雑音を発生しない。
【００８２】
好適には、ディスペンサは、電子駆動システムを作動させる作動手段をさらに備える。作動手段は、スイッチ、プッシュボタン、またはレバーの形態をとることができる。
【００８３】
他の態様では、薬剤が取り出された後、ふたシートの使用済み部分をローラの周りに掛け、ベース・シートの使用済み部分上に戻し、再びベース・シートに接合することができる。ふたシートは、再密封を助けるために粘性の物質で被覆することができる。この機構を用いると、ブリスタ・ストリップの使用済み部分が同じ領域に回収されるため空間が節約される。
【００８４】
他の態様では、未使用のブリスタ・ストリップを備えるコイルを、定力ばねで囲むことができる。あるいは未使用のブリスタ・ストリップを備えるコイルを、弾性バンドまたは収縮可能な材料を含むバンドで囲むことができる。定力ばね、弾性バンド、または収縮可能な材料を含むバンドは、コイルの大きさが小さくなるにつれて収縮する。
【００８５】
好適には、剥離手段は、ふたシートおよびベース・シートを開ステーションにおける別々の経路に沿って案内するガイドも備える。ふたシートはこの案内部の周りに掛けられてふた駆動手段上に送られる。
【００８６】
好適には、ガイドは、カセット内の所定の位置に固定された構造を備える。
【００８７】
あるいは、ガイドはローラ機構を備える。ふたシートはローラ上からふた駆動手段上に送られる。
【００８８】
好適には、カセットは、薬剤を装填されたときに薬剤担体を保持する第１のチャンバと、薬剤が薬剤担体から解放された後で薬剤担体を受け入れる第２のチャンバとを備える。薬剤担体は、多用量形態である場合、開（または取出し）ステーションを介して第１のチャンバから第２のチャンバに用量を供給することができる。したがって、使用時には、薬剤担体の、薬剤を装填された部分が第１のチャンバに保持され、空の部分（すなわち、薬剤が排出されたかまたは他の方法で解放された部分）が第２のチャンバに保持される。一態様では、第１のチャンバは最初、装填された細長いブリスタ・ストリップを収納し、第２のチャンバは、ベース・シートの使用済み部分が割出し車の周りに割り出され、ふたシートから分離された後にこの部分を受け入れる。
【００８９】
好適には、第１のチャンバと第２のチャンバは壁によって分離される。
【００９０】
好適には、壁は、第１のチャンバと第２のチャンバの大きさを調整するように移動させることができる。
【００９１】
好適には、壁はピボット運動可能であり、たとえば、壁はカセット内に固定されたピン上に取り付けることができる。あるいは、壁は摺動可能に取付け可能である。
【００９２】
好適には、壁は、その頂面または底面に沿って配置され、カセットの内側の頂面および底面をブラッシングする、少なくとも１つのブラシも備える。ブラシは、チャンバをカセットの本体の残りの部分に対して密閉し、散乱した粉末がカセットの残りの部分に侵入するのを防止する。散乱した粉末は、患者が用量を摂取する意思がないとき、または一部の粉末を吸入できなかったときに、レバーを押すことによってブリスタ・ストリップを割り出した場合に、ブリスタ・ストリップの使用済み部分からチャンバに進入する恐れがある。
【００９３】
あるいは、壁は、その頂面または底面に沿って配置された少なくとも１つの可とう性のシール部を備える。このシールは、上述のブラシと同様に働き、チャンバを本体の残りの部分に対して密封することができる。
【００９４】
あるいは、壁は、第１および第２のチャンバの大きさを調整するように自由に移動させることができる。
【００９５】
あるいは、第２のチャンバは、ベース・シートの使用済み部分の増大するコイル用の空間を作成するように膨張させることができる。
【００９６】
好適には、カセットは、ふたシートの使用済み部分を受け入れる第３のチャンバと、割出し車を収納する第４のチャンバとをさらに備える。第４のチャンバは、供給吐出口内で上向きに延び空気吸入口と連通するスリットを介して連通する。
【００９７】
好適には、内部機構は、薬剤がブリスタ・ポケットから除去された後でブリスタ・ポケットをつぶす圧搾車も備える。したがって、圧搾車は、ベース・シートの使用済み部分が占める空間を小さくする。
【００９８】
好適には、ホルダおよび本体の少なくとも一部は、ユーザが容易に把持できるような形状を有する。好適には、薬剤ディスペンサの動作を片手で行うことができる。
【００９９】
好適には、薬剤ディスペンサは、割出しレバーの作動回数またはカセットからの用量の放出回数を数える作動カウンタまたは用量カウンタを備える。用量カウンタは、まだ摂取されていない用量の数または摂取された用量の数を数えることができる。好適には、用量カウンタは電子カウンタまたは機械カウンタである。
【０１００】
一態様では、用量カウンタはカセット内に配置される。あるいは、用量カウンタはカセットの外側に配置される。
【０１０１】
一態様では、薬剤担体（たとえば、ブリスタ・ストリップ）上に、ポケット内の用量に対応する数が印刷される。好適には、印刷された数は、カセットの窓を通して見ることができる。
【０１０２】
好適には、薬剤ディスペンサは、電子データ管理システムも備える。電子データ管理システムは、入出力機能を有し、データを記憶するメモリと、データに対して演算を実行するマイクロプロセッサと、データに関する信号またはデータに対する演算の結果を送信する送信機とを備える。
【０１０３】
好適には、電子データ管理システムは、ユーザの音声に応答するか、またはユーザの音声によって作動させられるように構成される。したがって、たとえば、システムは音声コマンドに応答してオン・オフを切り換えることができる。
【０１０４】
電子データ管理システムは本体と一体であってよい。あるいは、電子データ管理システムは、本体に可逆的に付随させることができる、ベース・ユニットの一部を形成する。
【０１０５】
好適には、薬剤ディスペンサは、ユーザが電子データ管理システムにデータを入力するためのデータ入力システムも備える。好ましくは、データ入力システムは、好ましくはキーパッド、音声認識インタフェース、グラフィカル・ユーザ・インタフェース（ＧＵＩ）、またはバイオメトリクス・インタフェースから選択されるマン・マシン・インタフェース（ＭＭＩ）を備える。
【０１０６】
装置が電池のような所与のエネルギー源でより長時間にわたって動作できるように、様々な手段によってエネルギーを保存することができる。エネルギー保存または節約方法は、電源（たとえば、電池）の大きさ要件、したがって重量を低減させることと、薬剤ディスペンサが携帯可能になることに関する他の利点を有する。
【０１０７】
一般に消費電力の削減を伴う様々なエネルギー節約方法が利用可能である。１つのこのような方法は、クロックまたはタイマ回路を用いて一定または所定の間隔でオン・オフを切り換える方法である。他の方法では、システムは、視覚的表示ユニットやセンサのような特定の電子デバイスのオン・オフを選択的に切り換え、特定のイベント・シーケンスを実行する必要があるときにのみこれらのデバイスに電力を供給することができる。したがって、それぞれの異なる電子デバイスのオン・オフを、システムの制御の下で様々な間隔で様々な期間にわたって切り換えることができる。電力供給順序付けシステムは、装置の使用時に作動させされる運動センサや呼吸センサなどのセンサに応答することもできる。
【０１０８】
可能なら電子機器内では低電力成分または「マイクロパワー」成分を使用すべきであり、特定の機能を得るために高電力デバイスが必要である場合、このデバイスが必要でないときに、このデバイスを低電力待機モードにするかまたは必オフに切り換えるべきである。同様な要件がトランスジューサを選択するときにも当てはまる。一般にワット損は電圧と共に増大するので、低電圧での動作が望ましい。
【０１０９】
低電力デジタル用途の場合、相補型金属酸化膜半導体（ＣＭＯＳ）デバイスが一般に好ましく、これらは、特に零入力電流に関するスクリーニングによって選択することができる。プロセッサおよびその他の論理回路のクロック速度は、消費電力が周波数と共に高くなるため、計算スループットに対して必要最低限の速度に抑えるべきである。切換え時に内部コンデンサを充電する際のワット損は電圧の自乗に比例するので、供給電圧も、信頼できる動作が得られる範囲で最小値に維持すべきである。入力保護回路を電流が流れるのを妨げるように、可能なら、供給電圧は回路全体にわたって概ね同じであるべきである。論理入力を浮動状態にすべきではなく、回路は、通常どおりの論理出力状態で電力消費量が最低限に抑えられるように構成すべきである。低速の論理遷移は、その結果比較的大きなクラスＡ電流が流れる可能性があるので望ましくない。抵抗器は、障害イベントで電流を最小限に抑えるように個々のデバイスの電源に組み込むことができる。
【０１１０】
ある種の制御用途、たとえば、アナログ（たとえば、線形）制御を可能にする用途にはオン状態とオフ状態で切り換わるデバイスが好ましい。これは、小抵抗オン状態および小電流オフ状態では散逸する電力が少ないからである。線形成分を使用する場合（たとえば、ある種の電圧調整器）、零入力電流を有するタイプを選択すべきである。回路構成によっては、適切なリアクタンス性成分（すなわち、インダクタおよびコンデンサ）を用いて抵抗性成分のワット損を少なくすることが好ましい。
【０１１１】
好適には、システムは、電子データ管理システムからのデータをユーザに表示するための視覚的表示ユニットも備える。このディスプレイは、たとえばＬＥＤ画面やＬＣＤ画面などの画面を備えてよい。より好ましくは、視覚的表示ユニットは薬剤ディスペンサの本体に付随させることができる。
【０１１２】
好適には、薬剤ディスペンサは、ローカル・データ記憶装置と電子データ管理システムとの間のデータ通信を可能にするようにローカル・データ記憶装置とリンクするためのデータ・リンクも備える。データ記憶装置は、データ管理、データ分析、およびデータ通信機能を備えてもよい。
【０１１３】
データ記憶装置は、それ自体が携帯装置（たとえば、手持ち装置）の一部を形成しても、患者の家庭内に収まるような大きさおよび形状を有してもよい。データ記憶装置は、交換カセットを格納するための物理的な格納領域を備えてもよい。データ記憶装置は、内部に格納された薬剤製品の容器から薬剤を補充するシステムをさらに備えてよい。データ記憶装置は、薬剤ディスペンサ上の任意の電気エネルギー蓄積装置を再充電する電気再充電システム、特に電池再充電システムをさらに備えてよい。
【０１１４】
データリンクは、たとえば、ハード配線リンク、赤外線リンク、または他の適切な無線通信リンクを含む任意の適切な方法によってドッキング・ステーション、パーソナル・コンピュータ、ネットワーク・コンピュータ・システム、またはセットトップ（ｓｅｔ−ｔｏｐ）・ボックスとのリンクを可能にすることができる。
【０１１５】
好適には、薬剤ディスペンサは、供給機構の作動を検出する作動検出器も備え、作動検出器は電子データ管理システムに作動データを送信する。
【０１１６】
薬剤ディスペンサは、供給機構の意図されない複数の作動を防止する安全機構を備えてもよい。患者はそれにより、短く激しい呼吸を数回している状況で複数の用量の薬剤を誤って受けることが回避される。より好ましくは、安全機構は放出手段の連続作動間に時間遅延を課す。この時間遅延は通常、３秒から３０秒程度である。
【０１１７】
好適には、薬剤ディスペンサは、カセットからの薬剤の放出を検出する放出検出器も備え、放出検出器は電子データ管理システムに放出データを送信する。
【０１１８】
好適には、薬剤ディスペンサは、（たとえば、供給機構を作動させる前に）薬剤容器の揺れを検出する揺れ検出器も備え、揺れ検出器は電子データ管理システムに揺れデータを送信する。
【０１１９】
好適には、任意の作動検出器、放出検出器、または揺れ検出器は、移動などの任意の適切なパラメータを検出するセンサを備える。光学センサの使用を含む任意の適切なセンサが考えられる。放出検出器は、圧力、温度、音声、水分、二酸化炭素濃度、酸素濃度のような、薬剤の放出の影響を受ける任意のパラメータを検知することができる。
【０１２０】
好適には、薬剤ディスペンサは、電子データ管理システムからのトリガ信号に応答して作動することができる、供給機構をトリガする呼吸トリガも備える。好ましくは、電子データ管理システムは、トリガ信号をいつ送信すべきかを呼吸データから導くための予想アルゴリズムまたは参照テーブルを含む。たとえば、患者の呼吸波形のリアルタイム分析を行うことができ、この分析された波形を参照することによってトリガ点を導くことができる。
【０１２１】
好適には、電子データ管理システムは、供給すべき薬剤の最適な量を算出するための予想アルゴリズムまたは参照テーブルを含む。
【０１２２】
好適には、電子データ管理システム上のメモリは、用量データを記憶する容量メモリを含み、供給すべき薬剤の最適な量を算出する際に用量メモリが参照される。
【０１２３】
好適には、薬剤ディスペンサは、供給機構から供給すべき薬剤の量を選択する選択装置も備える。一態様では、選択装置を手動で操作することができる。他の態様では、選択装置は、電子データ管理システム上の送信機からの信号に応答して動作することができる。
【０１２４】
好適には、薬剤ディスペンサは、その本体またはホルダに付随して、データを送受信する第１のトランシーバを備えると共に、薬剤担体に付随して、データを送受信する第２のトランシーバを備え、第１のトランシーバから第２のトランシーバへ２方向にデータを転送することができる。データは好ましくは、デジタル形態であり、電子手段または光学手段によって転送するのに適している。この一般的な種類の薬剤ディスペンサは、係属中の英国特許出願第００２０５３８．５号に記載されている。
【０１２５】
この種の実施態様の１つの利点は、トランシーバのメモリ構造の様々な部分に多数の種類の情報を記憶できることである。情報はさらに、容易にかつ正確に転送できる形式で記憶される。この情報にはたとえば、製造プロセスまたは物流プロセスの様々な点でメモリに書き込まれる製造・物流追従情報を含めてよく、それによって、ディスペンサの詳細で容易にアクセスできる製品履歴が得られる。このような製品履歴情報は、たとえば製品リコール・イベントで参照することができる。追従情報は、たとえば日時スタンプを含んでよい。この情報には、製品を一意に識別し、したがって偽造の検出し防止する助けになる、暗号形式で記憶されるかまたはメモリのパスワード保護可能部分に記憶された固有の通し番号を含めてもよい。この情報には、薬剤の性質および投与情報、薬剤を使用する顧客の名前などの顧客情報、製品の目的地などの物流情報のような基本的な製品情報を含めてもよい。
【０１２６】
薬剤ディスペンサにカセットが装填または再装填されると、第２のトランシーバは、たとえば、薬剤の固有の通し番号、バッチ・コード、および有効期限や、第２のトランシーバに関する他の任意の情報を読み取ることができる。このように、薬剤の性質および濃度を、カセット内の使用済みの用量または残りの用量の数を判定することができる。この情報は視覚的表示ユニット上で患者に表示することができる。薬剤ディスペンサにカセットが再装填された回数のような他の情報を表示することもできる。
【０１２７】
同様に、薬剤を使い果たす前にカセットがホルダから取り外された場合、第２のトランシーバから同じデータを読み取り、残りの用量または使用済みの用量の数を求めることができる。薬物を投与した日時、カセットがさらされた最低／最高温度や湿度レベルなどの環境曝露データのような他の情報を読み取り、ユーザに表示することもできる。
【０１２８】
容器内の薬剤を使い果たすか、それとも薬剤の有効期限が切れるか、それとも第１のトランシーバが第２のトランシーバ上のバッチ・コードを認識しなくなった場合、ディスペンサの作動を妨げてユーザを保護することができる。薬剤が、製造業者のガイドラインを超えた期間にわたって極端な環境条件にさらされた場合にも、作動を妨げることができる。
【０１２９】
患者が薬剤ディスペンサを使用する間、任意のトランシーバとの間でデータを転送することができる。たとえば、薬剤ディスペンサは、様々なセンサが付随された電子データ管理システムを含んでよい。センサによって収集された任意のデータ、あるいはクロックまたは他の日時レコーダを含む、電子データ管理システムに付随する任意のデータ収集システムから収集された任意のデータを、転送することができる。
【０１３０】
患者が装置を使用するたびにデータを転送することができる。あるいは、電子データ管理システムのデータベース・メモリにデータを記憶し、定期的に任意のトランシーバにダウンロードすることができる。いずれの場合も、装置の使用の履歴をトランシーバのメモリに蓄積することができる。
【０１３１】
本発明の一実施態様では、薬剤ディスペンサの使用の履歴が第２のトランシーバに転送される。カセット内のブリスタ・ストリップを使い果たすと、ブリスタ・ストリップは患者によって新しい補充カセットと交換される。通常薬局である交換点で、使い果たしたカセットから補充カセットにデータを転送することができ、かつ補充カセットから使い果たしたカセットにデータを転送することができる。さらに、使用履歴データを補充カセットから読み取り、たとえば、ヘルスケア・データ管理者の管理下のネットワーク・コンピュータ・システムを備えるヘルスケア・データ管理システムに転送することができる。
【０１３２】
補充カセットを戻し、第２のトランシーバ内に備えられたデータを利用可能にすることに対するある種の報酬が患者に与えられる方法が考えられる。第２のトランシーバからデータを受け取ること、またはデータを商業的な目的に使用することに対してヘルスケア・データ管理者に料金が課される方法も考えられる。あらゆる報酬または料金計算を電子的に構成することができる。これらの方法は、収集されたデータにネットワーク上のハブを介してアクセスすることのできる分散型コンピュータ・ネットワーク・システムまたはウェブ・ベースのコンピュータ・ネットワーク・システムによって可能にすることができる。ハブは、患者の信頼を得て、許可のレベルに応じて収集された情報に選択的にアクセスできるように様々なセキュリティ機能を組み込んでよい。ユーザ許可レベルは、主として患者の信頼を得るために割り当てることができる。この他に、ユーザ許可レベルを商業的な条件に応じて割り当てることができ、たとえば、商業的な支払いを多くする代わりに、データベースより広範囲のアクセスを許可することができる。
【０１３３】
好適には、第１および第２のトランシーバはそれぞれ、データを送受信してメモリに接続するアンテナまたはその等価物を備える。メモリは通常、集積回路チップを備える。いずれのトランシーバも、大量の情報を記憶することのできるメモリ構造を持つように構成することができる。メモリ構造は、メモリの一部が読取り専用であり、製造時／製造後にプログラムされ、他の部分が読取り／書込みメモリであり、かつ他の部分をパスワードによって保護できるように構成することができる。任意のトランシーバへのまたは任意のトランシーバからのデータの最初の転送（たとえば、製造時または１回の供給時）は、薬剤ディスペンサから離れた位置にあるリーダを用いることによって容易に実現できるように構成することができ、それによって、製品を直接取り扱う必要が最小限に抑えられる。他の態様では、複数の薬剤ディスペンサ上の複数のトランシーバのメモリに対して同時に読取りまたは書込みを行うようにリーダを構成することができる。
【０１３４】
電池、時計仕掛エネルギー貯蔵装置、太陽電池、燃料電池、運動駆動電池のような適切な電源が、本発明の任意の電気構成要素の必要に応じて設けられる。電源は、充電可能または再装填可能であるように構成することができる。
【０１３５】
好適には、第１のトランシーバと第２のトランシーバとを直接物理的に接触させる必要なしにこれらのトランシーバ間で双方向にデータを転送することができる。好ましくは、第１のトランシーバと第２のトランシーバとの間で無線によってデータを転送することができる。
【０１３６】
好適には、第１のトランシーバは能動トランシーバであり、第２のトランシーバは受動トランシーバである。語「能動」は、直接駆動されることを意味するのに用いられ、語「受動」は、間接的に駆動されることを意味するのに用いられる。
【０１３７】
好適には、第２のトランシーバは、エネルギーを送るかまたは受け取るアンテナを備えるラベルまたはタグと、アンテナに接続された集積回路チップとを備え、第１のトランシーバはラベルまたはタグ用のリーダを備える。この場合、ラベルまたはタグは受動トランシーバであり、リーダは能動トランシーバである。好ましくは、リーダは、タグまたはラベルに直接接触しなくてもタグまたはラベルを読み取ることができる。
【０１３８】
タグは、視覚的テキスト、機械読取り可能なテキスト、バー・コードおよびドット・コードを含む他の従来の製品ラベル付け方法と組み合わせ、かつ／または一体化して使用することができる。
【０１３９】
好適には、集積回路チップは、読取り専用メモリ領域、書込み専用メモリ領域、読取り／書込みメモリ領域、またはそれらの組合せを有する。
【０１４０】
好適には、集積回路チップは、一回プログラム可能メモリ領域である。より好ましくは、一回プログラム可能メモリ領域は固有の通し番号を含む。
【０１４１】
好適には、集積回路は、工場事前設定・変更不能固有データ項目を含む事前設定メモリ領域を有する。事前設定メモリ項目は最も好ましくは、暗号形式である。
【０１４２】
好適には、集積回路チップは、複数のメモリ領域を有する。好適には、任意のメモリ領域がパスワードによって保護される。
【０１４３】
好適には、任意のメモリ領域は暗号形式のデータを含む。電子的なＩＤチェック方法、エラー検出方法、およびデータ転送方法を使用することもできる。
【０１４４】
一態様では、集積回路は、たとえば製造時に埋め込むことのできる固有の通し番号を含む読取り専用メモリ領域と、情報が書き込まれた後にのみ読み取ることのできる読取り／書込みメモリ領域と、反偽造ユーティリティのデータであってよい暗号形式のデータを含むパスワードで保護されたメモリ領域とを含む複数のメモリ領域を有する。
【０１４５】
好適には、タグは、担体上に存在し、担体は、薬剤ディスペンサの本体またはホルダに取り付けるか、あるいはカセット上に取り付けることができる。
【０１４６】
一態様では、担体は可とう性のラベルである。他の態様では、担体は剛性の円板である。他の態様では、担体はエアロゾル容器の首部に取り付けるのに適したカラー・リングである。担体の他の形状も考えられる。
【０１４７】
好適には、担体は、カセットまたはハウジングに取り付けるかまたは溶接することができる。好適には、担体はタグを覆う。より好ましくは、担体はタグ用の機密シールを形成する。
【０１４８】
一態様では、担体は、ガラス材料や、紙材料や、ポリプロピレンなどの有機重合材料などの絶縁材料を備える。あるいは、担体はフェライト材料を備える。
【０１４９】
エネルギーは、超音波、赤外線、無線周波数、磁気、光、およびレーザ形態を含む任意の適切な形態であってよい。光ファイバ・チャネルを含む任意の適切なチャネルを用いてエネルギーを送ることができる。
【０１５０】
一態様では、第２のトランシーバは、無線周波数エネルギーを送るかまたは受け取るアンテナを備える無線周波数識別子と、アンテナに接続された集積回路チップとを備え、第１のトランシーバは無線周波数識別子用のリーダを備える。この場合、無線周波数識別子は受動トランシーバであり、リーダは能動トランシーバである。無線周波数識別子技術の利点は、リーダが、読み取るべき無線周波数識別子タグまたはラベルに直接接触する必要がないことである。
【０１５１】
無線周波数識別子は、任意の既知の無線周波数識別子であってよい。このような識別子は、無線周波数トランスポンダまたは無線周波数識別（ＲＦＩＤ）タグまたはラベルと呼ばれることもある。適切な無線周波数識別子には、Ｈｉｔａｇ ａｎｄ ｌｃｏｄｅの商標でオランダのＰｈｉｌｌｉｐｓ Ｓｅｍｉｃｏｎｄｕｃｔｏｒｓから販売されている識別子、Ｉｎｔｅｌｌｉｔａｇの商標でアメリカのＡｍｔｅｃｈ Ｓｙｓｔｅｍｓ Ｃｏｒｐｏｒａｔｉｏｎ から販売されている識別子、Ｔａｇｉｔの商標でアメリカのＴｅｘａｓ Ｉｎｓｔｒｕｍｅｎｔｓから販売されている識別子が含まれる。
【０１５２】
好適には、ＲＦＩＤのアンテナは、１００ｋＨｚから２．５ＧＨｚの周波数を有する無線周波数エネルギーを送るかまたは受け取ることができる。好ましい動作周波数は１２５ｋＨｚ、１３．５６ＭＨｚ、および２．４ ＧＨｚから選択される。
【０１５３】
一態様では、第２のトランシーバは、磁界エネルギーを送るかまたは受け取るアンテナを備える磁気ラベルまたはタグと、アンテナに接続された集積回路チップとを備え、第１のトランシーバは磁気ラベルまたはタグ用のリーダを備える。この場合、磁気ラベルまたはタグは受動トランシーバであり、リーダは能動トランシーバである。
【０１５４】
適切な磁気ラベルまたはタグは、相互に関連する複数の磁気要素を備え、各磁気要素は、質問磁界に応答して互いに対して移動する。この種の磁気ラベルまたはタグは米国特許第４９４０９６６号に記載されている。他の適切な磁気ラベルまたはタグは、様々な所定の周波数で磁気抵抗要素を共振させるバイアス磁界の存在下で質問交番磁界を印加することによって読み取ることのできる磁気抵抗要素を備える。この種の磁気ラベルはＰＣＴ特許出願第９２／１２４０２号に記載されている。線形アレイ状の複数の別個の磁気活性領域を備える他の適切な磁気ラベルまたはタグは、ＰＣＴ特許出願第９６／３１７９０号に記載されている。適切な磁気ラベルおよびタグには、Ｐｒｏｇｒａｍｍａｂｌｅ Ｍａｇｎｅｔｉｃ Ｒｅｓｏｎａｎｃｅ （ＰＭＲ）（商標）技術を利用するラベルおよびタグが含まれる。
【０１５５】
他の態様では、第２のトランシーバは超小形メモリ・チップを備え、第１のトランシーバは超小形メモリ・チップ用のリーダを備える。超小形メモリ・チップは電子的に消去可能・プログラム可能な読取り専用メモリ（ＥＥＰＲＯＭ）チップまたはＳＩＭカード型メモリ・チップを備えてよい。
【０１５６】
本発明の任意のトランシーバ、特に受動トランシーバは、任意の適切な不活性担体上に取り付けるか、またはこのような担体内に入れることができる。単体は、実施態様では、印刷テキストを受けることのできる可とう性のシートを備えてよい。
【０１５７】
一態様では、第１のトランシーバは、単一のユニットが構成されるように本体と一体化される。第１のトランシーバはたとえば、本体内に入れるか、または本体に取り付けることができる。
【０１５８】
他の態様では、第１のトランシーバは、ベース・ユニットの、本体に可逆的に付随させることのできる部分を形成する。ベース・ユニットはたとえば、スナップイン・モジュールのような本体によって受け入れることのできるモジュールを形成してよい。
【０１５９】
好適には、薬剤ディスペンサは、ネットワーク・コンピュータ・システムと電子データ管理システムとの間でデータを転送できるようにネットワーク・コンピュータ・システムと無線通信する通信装置も備える。このような通信装置を使用するディスペンサは、係属中のＰＣＴ出願第ＰＣＴ／ＥＰ００／０９２９１（ＰＧ３７８６）号、第ＰＣＴ／ＥＰ００／０９２９３（ＰＧ４０２９）号および第ＰＣＴ／ＥＰ００／０９２９２（ＰＧ４１５９）号に記載されている。好ましくは、通信装置は、ネットワーク・コンピュータ・システムと電子データ管理システムとの間のデータの２方向転送を可能にする。
【０１６０】
好適には、データは、ネットワーク・コンピュータ・システムと電子データ管理システムとの間で暗号形式で伝達することができる。すべての適切な暗号化方法または部分暗号化方法が考えられる。パスワード保護を使用することもできる。好適には、通信装置は無線周波数信号または光学信号を使用する。
【０１６１】
一態様では、通信装置はゲートウェイを介してネットワーク・コンピュータ・システムと通信する。他の態様では、通信装置は、ネットワークと直接通信できるようにネットワーク・サーバ（たとえば、ウェブ・サーバ）を含む。
【０１６２】
他の態様では、通信装置は第２の通信装置を介してゲートウェイと通信する。好ましくは、第２の通信装置はテレコミュニケーション装置であり、より好ましくは携帯電話またはポケット・ベルである。好ましくは、通信装置は、スペクトル拡散無線周波数信号を用いて第２の通信装置と通信する。適切なスペクトル拡散プロトコルは、複数の周波数（たとえば、７９個の異なる周波数）間の高速（たとえば、１秒間に１６００回）ホッピングを使用するＢｌｕｅｔｏｏｔｈ（商標）標準である。プロトコルでは、データ・ビットの多重送信（たとえば、三重送信）を用いて干渉を低減させることができる。
【０１６３】
一態様では、ネットワーク・コンピュータ・システムは大衆アクセス・ネットワーク・コンピュータ・システムを備える。インタネットは大衆アクセス・ネットワーク・コンピュータ・システムの１つの適切な例であり、このアクセス・ポイントは、インタネット・サービス・プロバイダによって管理されるエントリ・ポイントを含む任意の適切なエントリ・ポイントであってよい。大衆アクセス・ネットワーク・コンピュータ・システムはテレコミュニケーション・システムの一部を形成してもよく、テレコミュニケーション・システム自体は従来の銅線システム、セルラ・システム、または光ネットワークであってよい。
【０１６４】
他の態様では、ネットワーク・コンピュータ・システムは専用アクセス・ネットワーク・コンピュータ・システムを備える。専用アクセス・ネットワーク・システムは、たとえばヘルス・サービス・プロバイダまたは薬剤製造業者によって維持することのできる、たとえばイントラネットまたはエクストラネットを備えてよい。ネットワークは、たとえばパスワード保護、ファイアウォール、適切な暗号手段を含んでよい。
【０１６５】
好ましくは、コミュニケータが、ネットワーク・コンピュータ・システムにおけるユーザ固有のネットワーク・アドレスとの通信を可能にする。
【０１６６】
ユーザ固有のネットワーク・アドレスは、ウェブ・サイト・アドレス、ｅメール・アドレス、およびファイル転送プロトコル・アドレスから成る群から選択することができる。好ましくは、ユーザ固有のネットワーク・アドレスは、遠隔情報源の情報を利用できるようにこの情報源にアクセス可能である。より好ましくは、ユーザ固有のネットワーク・アドレスから得た情報を遠隔情報源で利用可能することができる。
【０１６７】
一態様では、遠隔情報源は薬剤処方箋作成者、たとえば、医師である。たとえば、薬剤処方作成者から転送される情報は、処方箋の詳細の変更、自動処方箋更新、または訓練情報を含んでよい。薬剤処方箋作成者に転送される情報は、遵守情報、すなわち、設定された処方プログラムを患者が遵守しているかどうかに関する情報を含んでよい。たとえば患者が収集した診断データに関する患者遵守情報を薬剤処方箋作成者に転送することもできる。ディスペンサが呼吸器疾患を軽減させる薬剤を供給する吸入器である場合、このような診断データの例には、呼吸サイクル・データまたはピーク流量データが含まれる。
【０１６８】
他の態様では、遠隔情報源は薬局である。したがって、薬局から転送される情報は、薬剤製品に関する情報を含んでよい。したがって、薬局に送信される情報は、薬剤処方箋作成者によって遠隔で事前に認められた処方箋に関する要求を含んでよい。
【０１６９】
他の態様では、遠隔情報源は、緊急支援プロバイダ、たとえば、病院事故・緊急サービスや緊急ヘルプラインまたはスイッチボードである。したがって、情報は、緊急支援を要求する苦痛または緊急支援信号を含んでよい。
【０１７０】
他の態様では、遠隔情報源は薬剤の製造業者または薬剤供給システムである。したがって、システムに転送される情報は製品更新情報であってよい。システム性能に関する情報を製造業者に送り返すようにシステムを構成することもできる。
【０１７１】
他の態様では、遠隔情報源は研究機関である。したがって、臨床試験状況では、試験プロトコルに関する情報を転送することができ、患者の遵守に関する情報を研究機関に送り返すことができる。
【０１７２】
他の態様では、遠隔情報源は環境監視ステーションである。したがって、天候、花粉量、および汚染レベルに関する情報をシステムからアクセス可能にすることができる。
【０１７３】
好適には、薬剤ディスペンサは、衛星測位方式などの地理的測位システム、または複数の通信信号および三角測量アルゴリズムの使用に依存するシステムも備える。
【０１７４】
好適には、薬剤担体には薬剤が付随される。好適には、薬剤は、アルブテロール、サルメテロール、プロピオン酸フルチカソン、およびジプロピオン酸ベクロメタソン、ならびにそれらの塩または溶媒和物およびそれらの任意の組合せから成る群から選択される。好ましくは、この組合せは、キシナホ酸サルメテロールおよびプロピオン酸フルチカソンを含む。
【０１７５】
好適には、薬剤は賦形剤を含む。好ましくは、この賦形剤は糖である。
【０１７６】
本発明の他の態様によれば、部品キット形態の上述の薬剤ディスペンサが提供される。キットの第１の部品は、本体と、本体内にはまる形状を有し本体に対して移動することができるホルダと、カセットを受け入れる、ホルダ内の受入れステーションとを備える。キットの第２の部品は、薬剤担体を含むカセットを備え、カセットは、受入れステーションによって受け入れることができ、ホルダを本体に対して移動させると、カセットが第１の位置と第２の位置との間で移動させられ、それにより、カセットが第２の位置にあるときにカセットを受入れステーションから可逆的に取り外すことができる。
【０１７７】
好適には、カセットは薬剤担体に作用する内部機構を含み、本体またはホルダは、カセットの内部機構を駆動する駆動機構を備える。ある態様では、内部機構は、薬剤担体を割り出す割出し装置、薬剤担体を移動させる移動装置、および／または薬剤担体を取り出す取出し手段を備える。
【０１７８】
好適には、本体またはホルダは、カセットの内部機構の少なくとも一部を駆動する駆動機構も備える。ある態様では、駆動機構は手動駆動機構または動力付き駆動機構である。
【０１７９】
一態様では、薬剤ディスペンサを以下のように組み立てることができる。ホルダを本体にスナップばめする。カセットを別個に組み立てる。好ましくはあらゆる必要なスピンドルまたはベースに組み込まれた一体的な構成要素を有する２つの部分として、カセットの本体を形成する。次いで、割出し車、ふた巻付け機構、案内部のような個々の構成要素をベースに組み付ける。最後に、カセットに薬剤担体（たとえば、細長いブリスタ・パック）を挿入する。これを、カセットにふたを取り付けてカセットを密封する前にディスペンサ内に巻き込むことができる。あるいは、薬剤担体を挿入できるように側面に残された穴とはまったく別にカセットを形成することができる。次いで、穴を密封してカセットを完成することができる。装置に薬剤担体を挿入するこの第２の方法は、ずっと簡単であるという利点を有する。
【０１８０】
（発明を実施するための最良の形態）
次に、添付の図面を参照することによって本発明を詳しく説明する。
【０１８１】
図１は、本体１０、ホルダ２０、補充カセット３０、および電子ディスプレイ１５を備える、本発明による薬剤ディスペンサを示している。ホルダ２０は、本体１０の内側にぴったりとはまるような形状を有しており、本体上の、周りをホルダが回転する点（図示せず）に固定されている。停止装置２２、２４は、ホルダ２０から突き出ており、ホルダ２０が本体１０に対して回転する角度が約１８０°を超えるのを防止する。停止装置２２、２４は、本体１０内にホルダ２０の２つの定められた位置も形成する。一方の位置は、ホルダが本体に対して回転させられたときに停止装置２２が本体縁部１２に当たることによって形成され、他方の位置は、ホルダが本体に対して回転させられたときに停止装置２４が本体縁部１４に当たることによって形成される。停止装置２２と停止装置２４との間の領域は、装置のユーザ用の親指または指把持装置２６を形成するような形状を有する。ホルダ２０は、補充カセット３０がぴったりとはまるシェルを形成している。
【０１８２】
補充カセット３０は、薬剤担体（図示せず）を含むシェルと、薬剤を取り出せるように担体（図示せず）を開く機構とを備えている。補充カセット３０は、その幅に沿った両側の一方の端部に隆起部３２を有しており、補充カセット３０のこの部分は、ホルダ２８の、補充カセット３０を受け入れる部分と少なくとも同じ深さである。このため、隆起部３２がホルダ２０から突き出るが、カセット３０の残りの部分がホルダ２０内に含まれるように、ホルダ２０内のカセット３０の位置を固定することができる。
【０１８３】
補充カセット３０は、マウスピース（図示せず）と、カセット３０内で薬剤担体を割り出す割出しレバー３５とをさらに有している。
【０１８４】
図２は、カセット１３０がホルダ１２０の所定の位置にあり、本体１１０が非供給位置にある、本発明による薬剤ディスペンサを示している。カセット１３０は、捕捉装置（図示せず）によって所定の位置に固定されている。捕捉装置は、子供がホルダ１１０からカセット１３０を取り外すのを防止するために子供が使用できないようにすることができる。カセット１３０がホルダ１２０に対して図示の位置にあるとき、本体１１０はマウスピース（図示せず）を覆い、したがって、別個のマウスピース・カバーは必要とされない。本体１１０はまた、割出しレバー（図示せず）も保護し、これにより、薬剤ディスペンサを使用していないときに誤って薬剤担体（図示せず）が割り出されるのが防止される。
【０１８５】
図３ａおよび３ｂは、カセット２３０が所定の位置にあり、ホルダ２２０が供給位置にある、図１および２の薬剤ディスペンサを示している。ホルダ２２０は、停止装置２２４が本体縁部２１２に当接するように本体２１０に対して回転している。ホルダ２２０は、割出しレバー２３５およびマウスピース２３７に指を届かせることができるように底部に切欠部を有することが分かる。図３ｂは、ホルダ２２０が本体２１０に取り付けられる取付け位置も示している。
【０１８６】
図４は、本発明で使用される薬剤担体３５０を示している。薬剤担体は、各ポケットが粉末の形態で吸入できる用量分の薬剤を含む、複数のピケット３５４ａ、３５４ｂを形成する剥離可能なブリスタ・ストリップ３５２を備えている。
【０１８７】
ストリップは、ブリスタがポケット３５４ａ、３５４ｂを形成するように形成されたベース・シート３５６と、ふたシート３５８とベース・シート３５６を剥離できるようにブリスタの領域を除いてベース・シートに対して気密に密封されたふたシート３５８とを備えている。ふたシート３５８およびベース・シート３５６はそれぞれ、好ましくは、プラスチック／アルミニウム積層体で形成され、好ましくはヒート・シールによって互いに接着されている。
【０１８８】
ストリップ３５２は、ストリップ３５２の長さに対して横方向に延びる細長いポケット３５４ａ、３５４ｂを有するように示されている。これは、所与のストリップ３５２長に多数のポケット３５４ａ、３５４ｂを設けることができるという点で好都合である。ストリップ３５２はたとえば、６０個から１００個のポケット３５４ａ、３５４ｂを備えてよいが、ストリップ３５２が任意の適切な数のポケット３５４ａ、３５４ｂを有してよいことが理解されよう。
【０１８９】
図５ａおよび図５ｂは、薬剤担体４５０を含むカセット４３０の内部機構を示している。図５ａは、大部分のポケット４５４に依然として粉末が満たされている状況の薬剤担体４５０を示している。図５ｂは、大部分のポケット４５４が空であり、ふたシート４５８の大部分がベース・シート４５６から取り外されている状況を示している。
【０１９０】
内部機構は、割出し車４６０と、ふたシート４５８の使用済み部分を巻き付けるふた巻付け車４７０とを備えている。割出し車４６０は、割出し車の軸に平行に延びる複数の凹部４６２ａ、４６２ｂを有している。凹部４６２ａ、４６２ｂは、互いに隣接するポケット４５２ａ、４５２ｂの中心線間の距離に等しいピッチだけ離して配置されている。
【０１９１】
カセット４３０の機構は、カセット４３０から突き出る指タブ４３７を有する弧状の壁と、壁から内側に延びるアームとを備えている。
【０１９２】
カセット４３０は、薬剤担体４５０の内側に含まれる用量を使用する前に薬剤担体４５０を巻き付けておくための領域４８０と、薬剤担体４５０の使用済み部分が収集される領域４８２も含んでいる。領域４８２は、ベース・シートの使用済み部分が巻き付けられるベース巻付け車４９０を含んでいる。この２つの領域を分離して２つのチャンバ４８０、４８２を形成する可動壁４８５も含まれている。可動壁４８５は、収集されたベース・シートの増大するコイルによって、図５ａに示されている位置から図５ｂに示されている位置まで押され、それによってチャンバの大きさが調整される。
【０１９３】
図５ａおよび図５ｂに示されているふた巻付け車は折畳み可能車４７０の形態をとっている。折畳み可能車４７０は、中央シャフト４７４から放射状に延びる、各々が半径に対して斜めの一連の弾性アーム４７２ａ、４７２ｂを有している。ふたシート４５８の先端は、これらの弾性アーム４７２ａのうちの１つに掛けられ、ふたシート４５８は、ベース・シート４５６から剥離されるにつれて折畳み可能車４７０上に巻かれる。ふたシート４５８が折畳み可能車４７０に巻き付けられるにつれて、弾性アーム４７０ａ、４７０ｂは徐々に内側にたわみ、そのため、巻き付けられるふたシート４５８のリールの外径は実質的に一定に維持され、一方、内径は小さくなる。案内部４９０は、ベース・シートから分離される点からふた巻付け車までふたシートを案内する。
【０１９４】
図６は、図５ａおよび図５ｂに示されているカセットに代わるカセットの他の内部機構を示している。この機構は、薬剤担体が所定の位置になく、ベース巻付け車も、薬剤担体を収納するチャンバも、各チャネルを分離する可動壁もない機構が示されている。レバーも示されていない。
【０１９５】
この機構は、割出し車５６０およびふた巻付けローラ５７０を備えている。割出し輪５６０は、薬剤担体内の互いに隣接するポケット５５２ａ、５５２ｂの中心線間の距離に等しいピッチだけ離して配置された複数の凹部５６２ａ、５６２ｂを有している。この機構は、必要に応じて、ふたシートとベース・シート（図示せず）を互いに離れる方向へ案内すると共にベース巻付け車（図示せず）またはふた巻付け車５７０の方へ案内する案内部５９０および５９５も備えている。ふたシートの使用済み部分は、案内部５９０を通過するときにローラ５７０によってきつく把持され、次いでカセットの残りの部分に送り込まれ、チャンバに収集される。ローラ５７０を使用することは、ふたシートの先端をくくり付ける必要がなく、ふたシートの先端が単にローラ５７０によって把持され、したがって、組立てプロセスが簡略化されるという利点を有する。
【０１９６】
動作時には、ユーザがホルダを本体に対して移動させてカセットを供給位置に移動させ、次いでレバーの指タブを押して移動させる。これによって割出し車が回転し、その結果、ベース巻付け車とふた巻付け車の両方が回転し、したがって、ベース・シートとふたシートが、粉末吐出口の端部と向かい合うまだ開かれていないポケットを露出させるのに十分な距離だけ引き離される。次いで、患者は粉末状の薬剤をマウスピースを通じて吸入することができる。
【０１９７】
他の内部機構が図７ａおよび図７ｂに示されている。この機構は、割出し車６６０およびふたスプール６７０を備えている。ふたスプール６７０は、ふたシート６５８がベース・シートから分離されたときに巻かれる、中央の上向き円筒状突起を有する歯付き壁６７２を備えている。割出し車６６０は、図５および６に示されている割出し車に類似しており、薬剤担体６５０内の互いに隣接するポケット６６４の中心線間の距離に等しいピッチだけ離して配置された複数の凹部６６２ａ、６６２ｂを有している。しかし、割出し車６６０は、凹部６６２ａ、６６２ｂ間の間隔で配置された複数のくぼみ６６４ａ、６６４ｂも有している。ふたスプールのベース上の歯６７２は、割出しレバー６４０の中央部の歯６４６にはまる。ふたスプール６７０は、割出しレバー６４０の移動、およびふたスプール６７０とこのレバー６４０上の歯６４６との相互作用によって駆動される。
【０１９８】
ふたシート６５８がふたスプール６７０に巻き付けられるにつれて、ふたシート６５８の直径が大きくなり、したがって、薬剤担体６５０が毎回同じ量だけ割り出されるようにする機構が必要である。連動継手６６５は、爪先部６６７および踵部６６８を有する脚部６６６と、尾部６６９とを備えている。連動継手６６５はピボット運動によって、その脚部６６６においてカセットに取り付けることができる。連動継手６６５の爪先部６６７は、割出し車６６０上のくぼみ６６４にはまるような形状を有しており、踵部６６８は、割出しレバー６４０の尾部６４４上の歯と連絡することができる。連動継手６６５は、ばね力によって割出し車６６０の方へ付勢される。ふたシート６５８の使用済み部分がふたスプール６７０から巻き取られるのを妨げ、巻き付けられたふたシート６５８の張力が維持されるように、ふたスプール６７０上にラチェット・ポールが設けられている。
【０１９９】
図７ａは、割出しレバー６４０がその休止位置から縁方向に移動したときの機構を示している。連動継手６６５の爪先部６６７が割出し車６６０のくぼみ６６４から出たばかりであることが分かる。連動継手６６５の踵部６６８は割出しレバー６４０に接触している。連動継手６６５の尾部６６９は割出しレバー６４０の突起６４６に接触している。ブリスタ・ストリップ６５２の未使用部分が割出し車６６０上に送られ、次いでふたシート６５８がベース・シート６５６から分離され、ふたスプール６７０の周りに巻かれる前にローラ・ガイド６８８の周りに掛けられる。
【０２００】
割出しレバー６４０が患者によって移動させられるにつれて、レバー６４０上の歯との相互作用によってふたスプール６７０が回転し、そのため、ふたシート６５８がベース・シート６５６から剥離され、ふたスプール６７０の周りに巻かれる。割出し車６６０は、連動継手の爪先部６６７が次のくぼみ６６４に挿入されるまで、ふたシート６５８が剥離されるにつれて回転する。連動継手６６５の踵部６６８は、割出しレバー６４０の尾部に接触して移動し、割出しレバー６４０のこの部分の歯６４４と相互作用する。連動継手６６５の尾部６６９はレバー６４０上の突起６４８の周りで旋回し、したがって、突起６４８は連動継手６６５の尾部に沿ってその中央の方へ徐々に移動する。
【０２０１】
割出しレバー６４０が完全に移動したときの機構の位置が図７ｂに示されている。連動継手６６５の爪先部が次のくぼみ６６４に挿入されており、踵部６６８が割出しレバー６４０の尾部で歯６４４にはまり、レバー６４０が、所定の位置にロックされ、したがってそれ以上移動できなくなっている。ブリスタ・ストリップ６５０上の次のポケット６５４は、患者による吸入が可能なようにマウスピース（図示せず）および空気吸入口（図示せず）に整列している。
【０２０２】
図８は、本発明の他の割出し機構を有する補充カセットを示している。この機構は、カセット７３０内に突き出る割出しレバー７４０のアーム上に配置されたいくつかの凹部７４８ａ、７４８ｂを備えている。凹部７４８ａ、７４８ｂは、ブリスタ・ストリップ（図示せず）のポケットに係合するような形状および大きさを有している。割出しレバー７４０が患者によって移動させられると、ブリスタ・ストリップが１ポケット分割り出される。レバー７４０をその休止位置にリセットすると、レバー７４０がストリップから一時的に外れ、次いで１ポケット先で再係合する。この機構は、簡素であり、装置内で必要とされる構成要素の数が少なくなり、したがって、装置の構成要素の全体的なコストと装置の組立てコストが安くなるという利点を有する。
【０２０３】
図９ａから図９ｃは、本発明の他の態様による薬剤ディスペンサを示している。薬剤ディスペンサは、本体カバー８１０、ホルダ８２０、補充カセット８３０、および電子ディスプレイ８１５を備えている。ホルダ８２０は、本体８１０の内側の、ホルダ８２０が回転する本体上の点８１３にぴったりとはまるような形状を有している。停止装置８２２、８２４は、ホルダ８２０から突き出て、ホルダ８２０が本体カバー８１０に対して回転する角度が約１１００を超えるのを防止する。停止装置８２２、８２４は、本体カバー８１０内にホルダ８２０の２つの定められた位置も形成する。一方の位置は、ホルダが本体に対して回転させられたときに停止装置８２２が本体縁部８１２に当たることによって形成され、他方の位置は、ホルダが本体に対して回転させられたときに停止装置８２４が本体縁部８１４に当たることによって形成される。ホルダ８２０は、補充カセット８３０がぴったりとはまるシェルを形成している。
【０２０４】
補充カセット８３０は、薬剤担体（図示せず）を含むシェル本体と、薬剤を取り出せるように担体（図示せず）を開く内部機構とを備えている。補充カセット８３０は、使用時に、マウスピース８３７がホルダ８２０から突き出るが、カセット８３０の大部分がホルダ８２０内に含まれるように構成されている。
【０２０５】
図１０は、本発明の他の態様による他の薬剤ディスペンサを示している。薬剤ディスペンサは、本体カバー９１０、ホルダ９２０、および補充カセット９３０を備えている。ホルダ９２０は、本体９１０の内側の、ホルダ９２０が回転する本体上の点（図示せず）にぴったりとはまるような形状を有している。停止装置９２２、９２４は、ホルダ９２０から突き出て、ホルダ９２０が本体カバー９１０に対して回転する角度が約１８００を超えるのを防止する。停止装置９２２、９２４は、本体カバー９１０内にホルダ９２０の２つの定められた位置も形成する。一方の位置は、ホルダが本体に対して回転させられたときに停止装置９２２が本体縁部９１２に当たることによって形成され、他方の位置は、ホルダが本体に対して回転させられたときに停止装置９２４が本体縁部９１４に当たることによって形成される。ホルダ９２０は、補充カセット９３０がぴったりとはまるシェルを形成している。
【０２０６】
補充カセット９３０は、薬剤担体（図示せず）を含むシェル本体と、薬剤を取り出せるように担体（図示せず）を開く内部機構とを備えている。補充カセット９３０は、使用時に、マウスピース９３７がホルダ９２０から突き出るが、カセット９３０の大部分がホルダ９２０内に含まれるように構成されている。
【０２０７】
図１１は、本発明の他の態様による他の薬剤ディスペンサを示している。薬剤ディスペンサは、本体カバー１０１０、ホルダ１０２０、および補充カセット１０３０を備えている。ホルダ１０２０は、本体１０１０の内側の、ホルダ１０２０が回転する本体上の点（図示せず）にぴったりとはまるような形状を有している。ホルダ１０２０は、補充カセット１０３０が正面スナップばめ１０２９ａ、１０２９ｂ係合によってぴったりと係合するランディング・ステーションを形成している。ホルダ１０２０とカセット１０３０がこのように係合すると、ホルダ１０２０とカセット１０３０の組合せによって、薬剤ディスペンサの「本体」全体の大部分が形成される。
【０２０８】
補充カセット１０３０は、薬剤担体（図示せず）を含むシェル本体と、薬剤を取り出せるように担体（図示せず）を開く内部機構とを備えている。補充カセット９３０は、使用時に、マウスピース１０３７がディスペンサから突き出るように構成されている。
【０２０９】
ディスペンサまたはアクチュエータの、薬剤混濁液に接触する任意の部分を、薬剤がディスペンサまたはアクチュエータに付着する傾向を低減させるフルオロポリマー材料（たとえば、ＰＴＦＥやＦＥＰ）などの材料で被覆してよいことが理解されよう。可動部分に、その所望の移動特性を向上させるコーティングを塗布してもよい。したがって、必要に応じて、摩擦接触を改善するために摩擦コーティングを塗布し、摩擦接触を低減させるために潤滑油（たとえば、シリコン・オイル）を使用してよい。
【０２１０】
本発明の薬剤ディスペンサは、薬剤、特に喘息や慢性閉塞性肺疾患（ＣＯＰＤ）などの呼吸器疾患の治療用薬剤を供給するのに適している。
【０２１１】
したがって、適切な薬剤は、たとえば、鎮痛薬、たとえば、コデイン、ジビドロモルヒネ、エルゴタミン、フェンタニル、モルヒネ；アンギナ薬、たとえば、ジチアゼム；抗アレルギー薬、たとえば、クロモグリケート（たとえば、ナトリウム塩として）、ケトチフェン、ネドクロミル（たとえば、ナトリウム塩として）；抗感染薬、たとえば、セファロスポリン、ペニシリン、ストレプトマイシン、スルフォンアミド、テトラシクリン、ペンタミジン；抗ヒスタミン薬、たとえば、メタピリレン；抗炎症薬、たとえば、ベクロメタソン（たとえば、ジプロピオン酸エステルとして）、フルチカソン（たとえば、プロピオン酸エステルとして）、フルニソリド、ブデソニド、ロフレポニド、モメタソン（たとえば、フロン酸エステルとして）、シクレソナイド、トリアムシノロン（たとえば、アセトニドとして）、６α，９α−ジフルオロ−１１β−ヒドロキシ−１６α−メチル−３−オキソ−１７α−プロピオニロキシ−アンドロスタ−１，４−ジエン−１７β−カルボチオ酸Ｓ−（２−オキソ−テトラヒドロ−フラン−３−イル）エステル；鎮咳薬、たとえば、ノスカピン；気管支拡張薬、たとえば、アルブテロール（たとえば、遊離基または硫酸塩として）、サルメテロール（たとえば、キシナホ酸塩として）、エフェドリン、アドレナリン、フェノテロール（たとえば、ヒドロブロミドとして）、ホルモテロール（たとえば、フマル酸塩として）、イソプレナニン、メタプロテレノル、フェニレフリン、フェニルプロパノルアミン、ピルブテロール（たとえば、酢酸塩として）、レプロテロール（たとえば、塩酸塩として）、リミテロール、テルブタリン（たとえば、硫酸塩として）、イソエタリン、ツロブテロール、４−ヒドロキシ−７−［２−［［２−［［３−（２−フェニルエトキシ）プロピル］スルホニル］エチル］アミノ］エチル−２（３Ｈ）−ベンゾチアゾロン；アデノシン２ａ作用薬、たとえば、２Ｒ，３Ｒ，４Ｓ，５Ｒ）−２−［６−アミノ−２−（１Ｓ−ヒドロキシメチル−２−フェニル−エチルアミノ）−プリン−９−イル］−５−（２−エチル−２Ｈ−テトラゾール−５−イル）−テトラヒドロ−フラン−３，４−ジオル（たとえば、マレイン酸塩として）；α４インテグリン阻害剤、たとえば、（２Ｓ）−３−［４−（｛［４−（アミノカルボニル）−１−ピペリジニル］カルボニル｝オキシ）フェニル］−２−［（（２Ｓ）−４−メチル−２−｛［２−（２−メチルフェノキシ）アセチル］アミノ｝ペンタノイル）アミノ］プロピオン酸（たとえば、遊離酸やカリウム塩として）、ジウレチック、たとえば、アミロリド；抗コリン薬、たとえば、イプラトルピウム（たとえば、臭化物として）、チオロピウム、アトロピン、オキシトロピウム；ホルモン、たとえば、コルチソン、ヒドロコルチソン、プレドニソロン；キサンチン、たとえば、アミノフィリン、テオフィリン酸コリン、テオフィリン酸リジン、テオフィリン；治療たんぱく質およびペプチド、たとえば、インシュリンやグルカゴン；ワクチン、診断用薬、および遺伝子療薬から選択することができる。当業者には、必要に応じて、薬剤を塩の形態で（たとえば、アルカリ金属やアミン塩として、または酸添加塩として）、またはエステル���して（低級アルキルエステル）、または溶媒和物として（たとえば、水和物）用いて薬剤の活動および／または安定性を最適化することができる。
【０２１２】
好ましい薬剤は、アルブテロール、サルメテロール、プロピオン酸フルチカソン、およびジプロピオン酸ベクロメタソン、ならびにそれらの塩または溶媒和物、たとえば、アルブテロールの硫酸エステルやサルメテロールのキシナホ酸塩から選択される。
【０２１３】
各薬剤を組み合わせて供給することもできる。活性原料の組合せを含む好ましい組成は、サルブタモル（たとえば、遊離基や硫酸塩として）またはサルメテロール（たとえば、キシナホ酸塩として）またはホルモテロール（たとえば、フマル酸塩として）と、ベクロメタソンエステル（たとえば、ジプロピオン酸塩）やフルチカソンエステル（たとえば、プロピオン酸塩）やブデソニドなどの抗炎症薬ステロイドとの組合せを含む。特に好ましい組合せは、プロピオン酸フルチカサンとサルメテロールの組合せ、またはその塩（特にキシナホ酸塩）である。特に重要な他の組合せは、ブデソニドとホルモテロール（たとえば、フマル酸塩として）の組合せである。
【０２１４】
一般に、肺の気管支領域または肺胞領域に供給するのに適した粉末薬剤粒子の流体力学的直径は、１０マイクロメートル未満、好ましくは６マイクロメートル未満である。鼻腔、口、または咽喉のような気道の他の部分への供給が望ましい場合には、他の粒径の粒子を使用することができる。薬剤は、純粋な薬物として供給することができるが、必要に応じて、吸入に適した賦形剤（担体）と共に薬剤を供給することが好ましい。適切な賦形剤には、多糖類（すなわち、でんぷん、セルロースなど）、ラクトース、グルコース、マニトル、アミノ酸、およびマルトデキシトリン、ならびに炭酸カルシウムや塩化ナトリウムなどの無機賦形剤が含まれる。ラクトースが好ましい賦形剤である。
【０２１５】
粉末薬剤および／または賦形剤の粒子は、従来の技術、たとえば、微粒子化、ミリング、ふるい分けによって製造することができる。さらに、薬剤および／または賦形剤粉末は、特定の密度、大きさの範囲、または特性を有するように製造することができる。粒子は、活性薬剤、表面活性剤、壁形成材料、または当業者によって望ましいと考えられる他の成分を含んでよい。
【０２１６】
賦形剤は、混合、共沈のような公知の方法を介して薬剤に含有させることができる。賦形剤と薬物の混合物は通常、混合物を厳密に計量して各用量に分散させることができるような組成を有する。標準的な混合物はたとえば、１３０００マイクログラムのラクトースと５０マイクログラムの薬剤の混合物を含み、賦形剤対薬物比は２６０：１である。賦形剤対薬物比が１００：１から１：１の混合物を使用することができる。しかし、賦形剤と薬物の比が非常に低いと、薬物用量再現性の可変性が高くなる恐れがある。
【０２１７】
本開示が例示のためのみのものであり、本発明がその修正形態、変形形態、および改良形態に拡張されることが理解されよう。
【０２１８】
この説明および特許請求の範囲が一部を形成する本出願は、任意の以後の出願に対する優先権の基礎として使用することができる。かかる以後の出願の請求項は、本出願で説明した任意の特徴または特徴の組合せに関するものとなる可能性がある。かかる請求項は、製品請求項、方法請求項、または使用請求項の形態をとることができ、一例として制限なしに、本出願の請求項のうちの１つまたは複数を含む可能性がある。
【図面の簡単な説明】
【図１】
ホルダおよび本体からカセットが取り外された、本発明による薬剤ディスペンサの斜視図である。
【図２】
非供給位置でホルダおよび本体にカセットが挿入された、図１の薬剤ディスペンサの斜視図である。
【図３】
カセットが供給位置にある、図１および２の薬剤ディスペンサの斜視図である。
【図４】
本発明によって使用される薬剤担体の斜視図である。
【図５】
図５ａは、薬剤担体の大部分が未使用である、本発明によるカセットの内部機構の断面図である。図５ｂは、薬剤担体の大部分のポケットが空である、図５ａのカセットの内部機構の断面図である。
【図６】
本発明による第２の内部機構の斜視図である。
【図７】
図７ａは、レバーが作動させられていないときの、本発明による第３の内部機構の斜視図である。図７ｂは、レバーが完全に作動させられたときの、図７ａの内部機構の斜視図である。
【図８】
本発明によって使用される割出し機構の断面図である。
【図９】
図９ａは、ホルダ／本体からカセットが取り外された、本発明による、ホルダ／本体および補充カセットの形態の薬剤ディスペンサの斜視図である。図９ｂおよび９ｃは、図９ａの薬剤ディスペンサのホルダ／本体およびカセットの側面図である。
【図１０】
ホルダ／本体からカセットが取り外された、本発明による、ホルダ／本体と一体的なマウスピースを有する補充カセットとの形態の薬剤ディスペンサの斜視図である。
【図１１】
ホルダ／本体からカセットが取り外された、本発明による、ホルダ／本体と一体的なマウスピースを有する補充カセットとの形態の薬剤ディスペンサの斜視図である。
【図１】
2004512147.tif 000003
【図２】
2004512147.tif 000004
【図３】
2004512147.tif 000005
【図４】
2004512147.tif 000006
【図５】
2004512147.tif 000007
【図６】
2004512147.tif 000008
【図７】
2004512147.tif 000009
2004512147.tif 000010
【図８】
2004512147.tif 000011
【図９】
2004512147.tif 000012
2004512147.tif 000013
【図１０】
2004512147.tif 000014
【図１１】
2004512147.tif 000015
【国際公開パンフレット】
2004512147.tif 000016
2004512147.tif 000017
2004512147.tif 000018
2004512147.tif 000019
2004512147.tif 000020
2004512147.tif 000021
2004512147.tif 000022
2004512147.tif 000023
2004512147.tif 000024
2004512147.tif 000025
2004512147.tif 000026
2004512147.tif 000027
2004512147.tif 000028
2004512147.tif 000029
2004512147.tif 000030
2004512147.tif 000031
2004512147.tif 000032
2004512147.tif 000033
2004512147.tif 000034
2004512147.tif 000035
2004512147.tif 000036
2004512147.tif 000037
2004512147.tif 000038
2004512147.tif 000039
2004512147.tif 000040
2004512147.tif 000041
2004512147.tif 000042
2004512147.tif 000043
2004512147.tif 000044
2004512147.tif 000045
2004512147.tif 000046
2004512147.tif 000047
2004512147.tif 000048
2004512147.tif 000049
2004512147.tif 000050
2004512147.tif 000051
2004512147.tif 000052
2004512147.tif 000053
2004512147.tif 000054
2004512147.tif 000055
2004512147.tif 000056
2004512147.tif 000057
2004512147.tif 000058
2004512147.tif 000059
2004512147.tif 000060
2004512147.tif 000061
2004512147.tif 000062
2004512147.tif 000063
2004512147.tif 000064
2004512147.tif 000065
2004512147.tif 000066
2004512147.tif 000067
2004512147.tif 000068
2004512147.tif 000069
2004512147.tif 000070
2004512147.tif 000071
2004512147.tif 000072
2004512147.tif 000073
2004512147.tif 000074
2004512147.tif 000075
2004512147.tif 000076
2004512147.tif 000077
2004512147.tif 000078
2004512147.tif 000079
2004512147.tif 000080
2004512147.tif 000081
2004512147.tif 000082
2004512147.tif 000083
【国際調査報告】
2004512147.tif 000084
2004512147.tif 000085
2004512147.tif 000086